(57)【要約】【課題】開口部に弱点を作らない事に留意した。新規な錠と既存の錠の対策い、ガ−ドプレ−ト,枠と隙間,ドアチェ−ンを検討した。【解決手段】新規の錠は内部を大きくして部材を取付け、余分な空間を障害物で塞ぐ。障害物には鍵の為の穴とスリットを有し、固定，可動状態で取付ける。効果があれば開閉に関係の無いものも使用し、部材が存在しない位置にも取付ける。錠の内部を分割し、回転と前後運動を複数回行う，障害物にかみ合わせながら鍵を回す，部材を覆う位置に障害物を置く，部材の後に障害物を置く。従来の錠の外側に障害物を取付け、これに鍵を入れて錠に挿込む。施錠・開錠で鍵を直接は回さずに可動部分を鍵と一緒に回す。施工後に枠と引き違い戸，窓の周りを充填物で埋め、枠に充填して隙間を無くす。ドアチェ−ンは不要物を除き、取付けの位置調整を行う。抵抗を大きくする。ガ−ドプレ−トは、平板状の、長いものを扉の正面から重ねる。【特許請求の範囲】
【請求項１】
開口部からの侵入を防止する方法，その為の材料であって、複数の対策を同時に行う事を特色とする侵入防止方法，侵入防止用材料
【請求項２】
錠であって、内部の施錠・開錠する為に動かされる部分が存在する空間内で、施錠・開錠する為に動かされる部分と鍵を出し入れする為の空間を除いた空間を、障害物で充填する事を特色とした錠
【請求項３】
錠であって、錠に鍵を出し入れするスリットと、内部の施錠・開錠する為に動かされる部分への鍵の挿入スリットと、新たに取り付けられた障害物があればこれのスリットのうちの少なくとも２つが同一平面上には存在しない事を特色とした錠
【請求項４】
内部に障害物を持つ錠であって、その障害物の形状は、直線または曲線を、軸の周りで回転させて得られる面或いは立体であって、必要に応じて障害物の中央に穴が開けられており、鍵の差込み方向の断面形状のスリットを有する事を特色とした錠
【請求項５】
内部に障害物を持つ錠であって、錠の開閉を行うにあたって、障害物の周囲を鍵が回される事を特色とする錠
【請求項６】
錠の奥の部分に存在する障害物であって、施錠・開錠する為に動かされる部分の後に存在することを特色とする障害物
【請求項７】
従来の錠に外部から取付けられる障害物であって、一部が鍵の入口部の周辺に固定されており、一部が回転可能であって、錠の開閉を行うにあたって、回転可能な障害物と鍵を一緒に回す事を特色とする障害物
【請求項８】
従来の錠に外部から取付けられた障害物であって、障害物の一部が鍵の回転面の内側或いは延長線上に存在し、障害物の表面に鍵を出し入れする為の切れ込みと、鍵を動かす為のスリットと、或いは鍵を出し入れする部分を有するものであり、錠の開閉を行うにあたって、回転可能な障害物と鍵を一緒に回す事を特色とする障害物
【請求項９】
錠に外部から取付けられる障害物であって、鍵の入口部分に固定された部分に新たな錠を取付ける事を特色とした障害物
【請求項１０】
錠の前面に鍵を入れる為の空間を有し、その一部が鍵の入口部の前に固定されており、一部が回転可能であって、挿し込んだ鍵と共に、回転できる部分を一緒に回して施錠・開錠をする事を特色とする錠
【請求項１１】
錠または錠に取付けられた障害物であって、施錠・開錠に直接の関係がないものを取付ける事を特色とする鍵または錠に取付けられた障害物
【請求項１２】
枠と、引き違い戸，引き違い窓の隙間が、施工後に埋められる事を特色とする枠と戸，窓を隙間を埋める用具及びその施工方法
【請求項１３】
扉，戸，窓を取付ける枠であって、枠の内部の空間が埋められる事を特色とする枠及びその施工方法
【請求項１４】
ガ−ドプレ−トであって、扉の前面に取付けられ、好ましくは、取付けられる部分の上から下までをカバ−する長さである事を特色とするガ−ドプレ−ト及びその施工方法
【請求項１５】
ドアチェ−ンの補助具であって、チェ−ンの先端を入れる為に扉に取付けられるものであり、チェ−ンが入れられる部分の周辺が狭められておらず、前面に何も存在しない形状であって、好ましくは、長さを調整できる事，動きの抵抗を与えるものを併用する事を特色とするドアチェ−ンの補助具
【発明の詳細な説明】
【技術分野】
【０００１】
本発明は開口部から不正な侵入を防ぐ為の材料と施工と使用方法に関するものであり、主に錠と鍵に関するものである。また、開き扉の周辺にあるガ−ドプレ−ト，扉・戸・窓の枠，箱受，受座，ドアチェ−ンにも関連し、引違い窓・戸の施工後に枠と本体の隙間を埋める事にも関するものである。
【０００２】
錠は住宅の外扉，窓で使用する場合、侵入者の侵入を防止する事を目的としており、自動車等で使用する場合は、勝手な使用を防止する事を目的としており、金庫，自動販売機，現金自動支払機，店舗のショ−ケ−スなどで使用する場合は、勝手に中身を取り出す事を防ぐ事を目的としている。
【背景技術】
【０００３】
発明者は本発明による事項を検討するに当たり、鍵の歴史を調査した。古代エジプト，古代ギリシャでは、金属製、木製の棒を扉の孔から挿し込み、扉の内側につけられた材料を動かして錠の開け閉めを行っていた。鍵は人の二の腕くらいの長さを有した。当時の技術では細かい細工ができず、物理的に届かなくする事が重要であった。古代ロ−マでは現在の鎖錠機構に近い構造で、鍵を錠穴に挿し込んで回すものが開発されており、ウエ−ド方式という鍵穴の形状や鍵の表面、或いは内部に設けた障害物（複雑な形状を有し、この形状に合致する鍵のみが錠に指しこまれ、合致しないものは指し込まれず、回されない）によって、錠が勝手に開けられる事を防いでいた。
【０００４】
中世ヨ−ロッパでは既にテッドボルトとラッチボルトの併用が行われており、近世ではプライマ錠と称される鎖錠機構だけを筒型ユニットにまとめたもの，１９世紀中旬にはイエ−ル錠という現在のピン・タンブラ−と同じ機構が開発されている。現在では筒型ユニットであり、ピン・タンブラ−によるものが主流であり、鍵は金属板の外側から切込みを入れて加工したものが多く，これと磁石を併用したもの，電気を利用したものもある。
【０００５】
中世ヨ−ロッパまでの鍵は、手で持って回す部分と錠の中に入れる部分が、軸の両端に取付けられており、中間には軸のみが存在する部分がある。現在でも一部では使用されている。
【０００６】
現在主に用いられている本締り錠は、２種類に大別できる。一つはピン方式と称されるものであって、内筒と外筒をつなぐ多数のピンを持ち、鍵がピンの位置に合致すると、内筒が外筒の中で回転可能状態になり、鍵を回す事で施錠・開錠がなされる。他のものはレバ−方式と称されるものであって、錠の内部で動かされるべき部分（錠の内部に存在し、開錠・施錠で動かされる）を鍵で動かして、施錠・開錠する。
【０００７】
ガラス窓に関しては振動を感知して大きな音を発生させるもの，窓の枠と窓枠の間に、厚さ方向に取付け材料を挿し込んで押し広げ、動きの抵抗を大きくするものがある。また、フィルムを貼ってガラスが割られる事を防いでいる。
【０００８】
現在、主に用いられている鍵は、全体が一体ものであり、機能は分化していない。鍵が複製される事を難しくする事が現在の防犯対策の中心となっており、数百億通りもの鍵違いを準備している例もある。また、鍵の側面のみでなく、平面にも凹部を設けて鍵違いの数を増やしている。
【０００９】
ただし、同じ系統にはマスタ−キ−があり、１つの鍵で多くの錠に対応できるので、実質的な鍵違い数はそれほど多くはないものと考えられる。侵入する者はマスタ−キ−の考え方で対応すれば、少ない道具で多くの錠に対応できる。
【００１０】
錠は鍵と共に小型化され、より精密なものへと進歩してきた。錠が勝手に開けられなくする為に、錠の内部を複雑な構造にしており、部材を小型化し、数を増やしている。錠の内部にはピン，スプリング等が入っているが、これ以外の空間はピッキング用具が動かされる空間である。鍵も小型化を志向しており、全体が小さくなると共に、手で持って回す部分の１／３程度の幅の部分が、錠の中に入れられる。錠の内部空間を小さくしてピッキング用具が自由に動かされる事を防いでいる。
【００１１】
鍵を用いずに数を合わせるのみの錠，数合わせと鍵を併用する錠では、４桁の数を用いているのが多い。暗証番号でも４桁を用いる事が多い。金融機関では４桁の暗証番号を要求し、五回程度間違えると接続を遮断し、安全性を確保している。鍵違い数は１万通りである。
【００１２】
両開き・片開きの扉に錠を取付ける場合、扉に錠ケ−スを埋め込み、フロントプレ−トを扉の側面に取付ける。また、ドア枠の該当する部分を切断し、この部分に箱受（トロ除け，錠箱ともいう）を埋め込み、この中に受座（ストライクプレ−トともいう）を取付ける。受座の中には、施錠の為のデッドボルト，単なる開閉の為のラッチボルトが入る。
【００１３】
開き扉は、ドア枠に丁番で取付けられる。扉とドア枠の間は柔軟な材料でシールされる。意匠的にはドア枠の中に扉が入っており、場合によっては必要最小限のガ−ドプレ−トが取付けられている。窓についても同様であって、窓枠に丁番で取付けられる。引き違い戸・窓は、一旦上に持ち上げてから枠の中に入れられる。
【００１４】
扉，窓は規格化された工場生産品が多く、同じ型式のものは同じ大きさであるが、現場での取付けでは施工誤差があるので、枠は余裕を持って大き目に作られる。この為、狭い隙間しか残らない様に施工される事は少なく、隙間の大きさは現場ごとに個々に異なる。扉の取付け施工時に発生する隙間には、扉，錠のフロントプレ−トと枠，受座との隙間がある。空間には扉の前面と枠の前面の高さの相違による空間がある。
【００１５】
鍵を持っている人と、侵入者の利害は対立している。不正に扉を開ける場合、時間がかかる事，目立つ事は好ましくない。錠を勝手に開ける事は、テレビ，映画などの場面では、針金，ピン等を鍵穴またはその周辺に挿し込み、錠の内部で適切に動かして施錠を解いて、数十秒で目的が達成される。侵入者はピッキング用具を錠の中に入れ、微妙なタッチ，かすかな情報から判断しながら適切に動かしているものと思われるが、これを邪魔する方法は検討されていない。
【００１６】
また、ピッキング用品なるものが市販されており、鍵穴等から挿し込み、目的の場所に届かせて錠を操作し、開錠行為が行われる。ピッキング用具は針金状である場合と、細く、長い板状である場合があるが、鍵が入れられる部分にピッキング用具を入れて動かさなければならないので、鍵よりは細く、薄く、硬く、長く、十分な強度を持つ。人が操作するので、ピッキング用具の大きさは手の大きさに合わせている。
【００１７】
既存の錠に取付けるピッキング防止の為のものは、良いものが提案されていない。２００３−１４８００４は、鍵の入口をカバ−してこれに錠を架けるものであるが、２つを開ければ侵入できる。また、取付け部位がなければ取付けられない。２００３−１２９７０５，２００３−２３９５８２は、鍵の入口に障害物を設けているが、鍵を持つ部分の径よりも大きい空洞があり、鍵の入口まで達している。これは保持部よりも空洞が小さければ鍵が回せない為である。鍵口の近くを持たせないという利点はあるが、ピッキング用具をまっすぐに，ある程度の面積を利用して入れられるので、それほど使い難くするものではない。
【００１８】
サムタ−ン回しは、扉の外から穴をあけて、専用のピッキング用具を挿し込み、本来は内側から開けられるべきサムタ−ンにこの用具を引っ掛け、外から回して開錠している。これの対策としてサムタ−ン周辺に円筒状の突起物をつける事が行われている。また、カム送り（バイパス開錠）は、錠と扉の隙間から金属具を挿し込み、直接開錠する。
【００１９】
ドアチェ−ンは扉を半開きにした場合であっても、それ以上は開けられず、無理やり押し入られる事を防ぐものであり、ドア枠にチェ−ンの片側を固定し、他の側はチェ−ンに取付けられた金属具（挿入部）を介して、扉にあらかじめ縦等に取付けられた溝を有する金属具（補助具）に挿入される。補助具の先端は、両端がほとんど同じ形状で閉じられており、正面に溝が切られている。補助具の溝は挿入部を出し入れする為に、上の部分がわずかに広くなっている。また広くなった近傍の溝の内側に突起物を設けており、侵入者に取外され難くしている。また、補助具に溝を切っておき、挿入部に切った溝に合わせて入れるものがある。
【００２０】
また、バ−ル等の丈夫な金属棒でドア枠と扉の間をこじって隙間を大きくし、デッドボルトを受座から外す事も問題視されている。これに対して、ドア枠と扉の間の隙間に道具が入らない様にする為に、ガ−ドプレ−トと称する金属板を錠の付近に用いている。サムタ−ン回し，カム送り，こじ開けのし易さは、錠自体の開閉難易度には関係ない。
【発明の開示】
【発明が解決しようとする課題】
【００２１】
発明者は本課題に対して、勝手に鍵を開けようとする者（侵入者）は、簡易な共通する道具で、短時間で、目立たずに開けたいという要望があるものと考えた。発明者の推定ではあるが、ピンは同形式の鍵を用いる場合は有用であるが、専用のピッキング用具を持った侵入者に対してはそれ程有用ではないように考えている。鍵違い数を増やして侵入に対処するのは適切ではなく、破壊から守る事，直接の働きかけを防ぐ事の方が重要であり、現在行われている一般的な対策は適切な方法ではない。
【００２２】
現在行われているものはハ−ドウエアとしての錠の検討であり、動かし方，使用方法を中心としたソフトウエアの対策は十分ではない。開口部に用いられる材料もハ−ドウエアとしての検討は良くなされているが、施工，使用方法を中心としたソフトウエアの検討は十分ではない。
【００２３】
最新の技術を用いて、単純な構造で、丈夫なものを造るべきであり、鍵違い数が少なくなってでも、大きく、丈夫な部品を使用し、ピッキング行為をやり難くする方が効果が大きいと考えた。また、物理的な障害を設けて操作し難くするべきであると考えた。現在の錠の流れは「より複雑なもの」へと志向している。錠は持ち歩く事は無いので大きくしても良い。大きな空間を造ってそれを利用する方が良い。これに対してピッキング用具の入口は小さい方が良い。
【００２４】
錠の内部空間が狭いのは、ピッキング用具を扱い難くする点では良いが、本来の施錠・開錠する為に動かされる部分の設置も制限を受ける。大きさ，配置等は自由な設定はできない。また、内筒にピンを配列して残った部分は円筒に近い形状になり、ピッキング用具は回し易い。
【００２５】
鍵が類似すれば錠も類似するので、鍵の形状にも着目すべきである。鍵の機能分化は考えられておらず、同じ様な鍵を用いれば、対応する錠も同じ様なものになってしまう。また、鍵の動かし方は単純であり、鍵を錠の中に１回挿し込んで１回回し、施錠・開錠をする。錠が開けられるか否かは別にして、ピッキング用具は素人でも部材に容易に届く。
【００２６】
既存の錠を単純な方法でピッキングされ難くする事の検討は不充分である。錠の開閉の為の鍵の形状は考えられているが、ピッキングの邪魔をする為の形状は検討されていない。錠の中には開閉に必要なものは取付けられているが、本来は不要であるが、ピッキング防止には有用であるものは取付けられていない。
【００２７】
侵入する場合は、合い鍵をあらかじめ準備する場合もあるが、多くの鍵違いから目的に合うものを探す事はしない。合い鍵を入手するよりは、ピッキング，カム送り，サムタ−ン回し，こじ開け等に必要な汎用で共通のピッキング用具を準備する例が多い。数十秒で開けられるという事は、鍵違い数の増加による効果はほとんど無いと考えられる。
【００２８】
侵入者はピッキング用具を錠の中で動かし、わずかな情報を得て、判断しながらピッキング行為を行っている。これを邪魔する為に、情報を得難くする，雑音を入れる事を考慮すべきであるが、この様な事は行われていない。
【００２９】
錠はいろいろな原理が提案されているが、複数の原理を併用するものは見当たらない。複数の原理を採用する場合は、多種類の材料を多数並べて設置する事が難しい為に、鍵違い数が減少してしまい、開発の流れに逆行する。更に目的の場所に物理的に届き難くする事は検討されていない。発明者は単純な原理であって、鍵違い数を減少させてでも、複数の原理を組み合わせて使用した方が良いと考え、その意義と、本来は不要なものであっても使用する意味がある事を見出した。
【００３０】
また、現在用いられている錠をそのまま用いて、ピッキング対策を行う事の提案は十分ではない。鍵の入口をカバ−してこれに錠をかけるものは、取付け部分がなければ取付けられない。効果はゼロではないが、１つの材料で解決しようとしているので効果に限界がある。２つを開ければ侵入でき、正規の使用者も使い難くなる。
【００３１】
鍵の入口の前に円筒状の障害物を設けるものは、単に手の位置と鍵の入口の距離を離したのみであり、動きを規制する部分が少なく、鍵口の前には、鍵を回転させる為の大きな空間が開いている。本来はこれを減らす事を考えるべきであるが、障害物と鍵の位置が近づきすぎると鍵が回せなくなるので、これ以上の検討はしておらず、ピッキング用具を使い難くできるものではない。
【００３２】
現在の錠システムは、単に鍵を入れて回すのみである。従来の錠をそのまま用いて安全性を向上させる場合、錠の中は製造者によって異なるのでブラックボックスであるが、錠に鍵を入れるまでは工夫の余地があるはずであるが、これが行われていない。鍵の機能を分化させれば、今までにない特色が出せるはずであるが、この様な検討は行われていない。錠の中にピッキング用具を入れ難くするという意味では何ら解決されていない。更にデッドボルト部分に直接侵入する事から守るという意味での検討もされていない。
【００３３】
扉及び周辺の施工についての検討は不十分である。侵入者は弱いところがあればそこを狙うので、全体が一定以上の強さを持っていなければならない。施工する為には隙間が必要であるので、これを埋めなければ施工後に余分な隙間が残る。
【００３４】
施工誤差を考慮して枠は大きめに作られるので、正しく施工されても隙間は残る。扉の施行は、枠にネジ穴をあけ、丁番で扉を取付けるので、穴の開け方によって取付け誤差が生じ、隙間の大きさとなって現われる。取付けるまでは誤差が不明であるが、取付け後は誤差が確定する。扉を取付けた後に、開閉する為に必要な最低限の隙間だけを残して、余分な隙間を小さくする作業がなされなければならない。ガ−ドプレ−トに相当するものをあらかじめ準備しておき、施工後早期に取付けるべきであるが、この様な事は行われていない。
【００３５】
引き違い戸・窓についてもこの様な問題がある。引き違い戸・窓を施工する場合、戸・窓を持ち上げながら枠の中に入れ、手を離して戸・窓の自重で枠内に収める。施工する為には隙間が必要であり、施工後でないと隙間を減らす事はできない。戸・窓を開閉する為にはある程度の隙間は必要であるが、それ以上の隙間は無い方が良い。本来は戸・窓の余分な隙間を埋めなければならず、戸・窓をはめ込んだ後であれば対応できるはずであるが、この様な事は行われていない。小型の窓であれば、吸盤等を使用して戸・窓を持ち上げれば容易に取外せる。
【００３６】
引き違い窓を開けられなくするもの，半開状態に安全に保てるものは存在するが、ワンタッチでセットし・取り外せるものではない。窓と枠の間に隙間があるのでフランス落しの様な単純なものが使用できない。ガラスを割って侵入する「三角切り」という方法が知られており、マイナスドライバ−とカナズチでガラスにひびを入れ、ガラスを取外す。防犯フィルムを貼っておいても十分な対策にはなっていない。
【００３７】
ガ−ドプレ−トを取付ければこじ開けられ難くなる事は公知であり、効果も確認されているが、中途半端な意匠であって美観上で好ましくない事，効果が十分でなく、安全性の向上以外の効果が無く、つけたからといって何かが改善されるわけではないので、あまり使われていない。
【００３８】
公用のガ−ドプレ−トは、長さは３００ｍｍ程度，厚さは２ｍｍ程度，扉に取付けられる部分の幅は２０ｍｍ程度，正面の部分は１０ｍｍ程度，ドア枠に重ねられる部分の幅は０〜５ｍｍ程度である。ガ−ドプレ−トは扉の側面に取付けられ、どの様な条件でも同じガ−ドプレ−トでカバ−しようとしているので、薄く，細いものが使われる様になってしまい、枠と重ねられる部分が少ない。短かすぎるので、ガ−ドプレ−トから外れた部分には扉とドア枠に隙間が残り、この部分がねらわれるので十分な防犯効果が無く、風雨，隙間風の侵入を防ぐ効果も無い。隙間の上又は下からバ−ル等でこじれば短時間で扉を開けられてしまう。また、ガ−ドプレ−トを付けたからといって何かが良くなるわけではない。
【００３９】
戸建て住宅用の扉は、元々強度が低い点に問題があるが、扉の端部にガ−ドプレ−トの形状の突起物を、表面に上から下まで、始めから設け、ドア枠，他のドア（両開きの場合）と重なる様にしている。しかし、この部分に薄く，狭い材料を用いており、更に取付け誤差があるので、実際に重ね合わせられる部分は少なく、風雨を入れない程度の効果しか無く、ガ−ドするプレ−トの役目はしていない。また、重なりが少ないからといって付け替える事は行われていない。
【００４０】
集合住宅用の扉では、ガ−ドプレ−ト相当品が前もって準備されている事はほとんど無い。また、経年変化で扉，枠が変形すれば隙間風が入る様になる。ドア枠と扉は柔軟材料によって線接触で内側から薄くシ−ルされているので、片方がゆがめばシ−ルが破られ、風雨の吹き込み，隙間風の侵入を受ける。
【００４１】
公用のドア枠は厚さ２ｍｍ程度の金属製で中空の四角形の形状であり、或いは密実な木製であり、箱受は２ｍｍ程度の薄い金属製の箱形であり、受座は１ｍｍ程度の薄い金属製の板である。この為、ある程度の力でこじればこの部分が潰れるので、扉は簡単に開いてしまう。箱受は、とろ除けとも称される通り、コンクリ−ト打設時にコンクリ−トが入ってこない様に空間を確保する為のものであり、中空の金属枠に固定して耐力用途に使用する目的のものではない。バ−ルでこじ開ける力に対抗するには材料が弱すぎる。
【００４２】
正規の使用者は丁寧に取り扱うが、侵入者にとっては扉を破壊しても良い。現在の扉は雨風を防ぐ事のみを考えており、むりやり力でこじ開ける事，意識的に破壊される事は考慮していない。
【００４３】
サムタ−ン回し防止具は、周辺に輪を取付けてサムタ−ンを覆うもの，サムタ−ンを交換するもの，サムタ−ン自身に輪を取付けるものがある。カム送り対策は金属板を隙間に挿し込む事で対処しているが、接着剤でこの部分を埋めても良い。これらは良く検討されているが、システムとして扉周辺の全体を考慮するものではない。
【００４４】
ドアチェ−ンは、使用すれば安全性が高まる事は明確であり、ほとんどの家に取付けられているが、あまり使用されていない。チェ−ンの補助具へのセット，補助具からの取外しの操作がし難い事が原因である場合が多い。扉が半開の場合に取外す事ができない様な鎖の長さにあらかじめ設定されていれば、扉を閉めなければ補助具からチェ−ンを取外す事ができないので、補助具の上端を閉塞する必要はもともと無く、挿入部が脱着される溝の部分を細くする必要も無い。この点を考えずに上端を閉塞し、溝を狭くしている事に問題がある。確実な施工をして、余分なものを取り除いて、使い易くするべきである。補助具に溝を切っておくものは良く考えられているが、挿入部の溝を補助具の溝に合わせ難い。
【００４５】
チェ−ンを使用したからといって効果が出るわけではない。セットしたからといって侵入者が来るわけではなく、ほとんどの場合は無駄になる。自分自身の外出時には自分で外さなければならず、家族の出入り時には一旦外し、また架けなければならない。使われなかった場合に、容易に取外しができる様にすべきである。挿入部が補助材に入れた部分に保持されておれば取外しは容易であるが、このような事は検討されていない。
【００４６】
取付けの施工誤差があれば施工後に補正されるべきであり、使い易さを優先して考えるべきであるが、この様な事は実行されていない。また、使い易くする工夫，確実に施工する工夫の検討も十分ではない。余分なものは取外して、そのかわりに精度良く施工されるべきである。チェ−ンを使用したにもかかわらず侵入されたのではなく、チェ−ンを使用しなかったから侵入されたのである。
【課題を解決するための手段】
【００４７】
正規の利用者と侵入者は利害が対立しているので、相手が嫌がる事をやれば良い。また、錠が開かなければ、他の弱い部分を狙ってくるので、弱点をつくらない事が重要である。本発明では、錠と鍵，枠と窓枠の隙間，ドア枠内部の空間，ガ−ドプレ−ト，ドアチェ−ンの５点について、材料，施工，使用方法について検討した。
【００４８】
本発明の説明に次の略語を使用する。勝手に鍵を開けようとする者を侵入者と称する。錠の構造で、内筒と外筒をつなぐ多数のピンを持ち、鍵がピンの位置に合致すると、内筒が外筒の中で回転可能状態になり、鍵を回す事で施錠・開錠がなされるものをピン方式と称し、錠の内部で動かされるべき部分（錠の内部に存在し、開錠・施錠で動かされるものである）を鍵で動かして、施錠・開錠するものをレバ−方式と称す。ピン方式のピン，レバ−方式の錠の内部に存在して開錠・施錠で動かされるものを、部材と称する。錠の名称では、鍵を挿し込む面を錠面、錠の内筒であって奥の部分を錠底，錠への鍵の入口を鍵口と称する。中空の棒でスリットを有し、錠面の内側に向かって或いは錠底の内側に向かって取付けられるものを中空棒と称し、錠底の部分で内側に向かって取付けられる密実の棒を案内棒と称する。スリット，穴，溝等の凹凸，切れ込み等であって鍵を挿し込む為には必要ないものをニセスリットと称する。内筒内にあって、施錠・開錠機構に関係なく、内筒・外筒の連結にも関与しないピンをニセピンと称する。ニセピンはニセモノの事であり、レバー方式のものであって、内筒中にあって施錠・開錠機構に関係ないものも、その概念に含まれる。鍵の名称では、錠の中に入れられ、ピン，部材に接触する部分を鍵面と称し、錠の外にあって、手で持って回される部分を保持部と称し、回転の中心にあたる部分を鍵軸と称する。鍵を挿込む為に、障害物を扉に垂直な線で切断し、鍵が錠に入る部分の、扉への投影図に該当する部分を空洞にしたものをスリット，障害物の周りで鍵を回転させる為に、鍵面を、障害物を軸を含む面への投影した図の形状に、扉に平行な線で切断したものを切れ込みと称する。
【００４９】
錠の外側に取付けられる新規の障害物を外部障害物と称する。外部障害物の扉に取付けられて固定される部分を固定部分と称し、鍵が挿し込まれ、鍵の回転と共に一緒に回転する部分，或いは入れられた鍵が中で動く部分を可動部分と称し、２つの部分を固定する材料を固定具と称する。可動部分に鍵を入れる部分を鍵の入口と称し、可動部分から鍵を出して錠に入れる部分を鍵の出口と称し、可動部分の中で鍵を動かす部分を動き部分と称する。障害物を通過して鍵を錠に届ける為のものを外部補助材と称する。外部補助材で、鍵を取付ける部分を取付け部と称し、手で鍵を持って出し入れする部分を手持ち部と称し、これらを接続する部分を接続部と称する。波型とは物体の投影面に対して、これと垂直な線を交差する点が曲線を描くようにして動かした時の切断面を意味する。ドア枠に埋めこまれ、デッドボルトが入る部分の該当する部分を切断し、この部分に埋め込むものを箱受、この中に入れられるものを受座と称する。ドアチェ−ンで扉に取付けられてチェ−ンを入れるものを補助具と称し、チェ−ンに取付けられて溝に入れられる金属具を挿入部と称する。ここでいう障害物とは、錠の内部或いは外部の近傍に存在し、錠の開閉とは直接の関係はないが、錠に鍵を入れる，鍵を動かす行為をする場合に、鍵が通過する部分或いはその近傍に存在するものを意味し、ピッキング用具を動かす場合に障害になると予想されるものを意味する。
【００５０】
錠と鍵については、第１の方法で内部に障害物を入れた新規の錠の構造を検討すると共に、鍵を障害物と部材の位置，形状に合わせた。第２の方法で既存の錠の前にピッキングを行い難くする為の外部障害物を取付けると共に、必要に応じて鍵に取付けられる外部付属品を外部障害物に合わせた。また、これを応用して本来は取付けられない場所に錠を取付ける。第３の方法では、第２の方法の障害物を新規の錠或いは公用の錠に取付けて一体成型する。それぞれの方法を実現する手段として説明するものを、組み合わせて利用できる。
【００５１】
第１の方法では、新規の錠の中に障害物を設ける事と、通常の施錠・開錠機構を用いる事の２つを併用する。錠については、旧来のウエ−ド方式を応用して錠の内部に障害物を取付け、内部での動きを制限すると共に、錠底を保護する。この方式と公知のピン方式，レバ−方式を組み合わせる。正規の使用では鍵面が部材に接して施錠・開錠する条件を満足し、鍵面が障害物の周りで回されて施錠・開錠できる。侵入者に対しては、鍵を入れる事，回す事，部材に接する事を制限する。また、デッドボルトに直接働きかけることも制限する。
【００５２】
障害物を利用する事自体は、古代エジプト，古代ギリシャの方式であり、物理的に届かなくする，届き難くするという意味がある。この当時は細かい加工ができなかった為に、小さな錠を工作する事はできなかった。また、良い材料が無かった。本発明では現代では公知の素材を用いて、公知の加工技術で製作する。鍵については旧来の形式であり、レバ−方式で現在も使用されている型を応用する。
【００５３】
本発明では障害物を取付ける3つの部分について検討した。1つは錠の内筒の内部であって部材が近傍に存在する部分であり、1つは錠底の部分であり、1つは内筒の内部ではない部分、或いは内筒の内部であるが部材が近傍には存在しない部分である。
【００５４】
第１の部分では、錠の内筒の内部に大きな空間を造って、部材の形，数，取付け位置を自由に設定する。この部分で鍵の回転力を内筒に伝え、デッドボルトを動かす。ピッキング用具が出し入れされる事を考慮して、余分な空間を他のもので充填して障害物とする。このものの外側は円筒形であり、内部に部材と鍵の為の空間を有する。残った空洞の断面は、おおむね部材の形状と鍵が錠に入れられる部分の厚さと長さの直方体になる。この部分が鍵の為の空洞であるが、侵入者もこの部分を利用するので、余分な空間は造らない。ピッキング用具が動くと予想される部分に他の障害物を用い、連続しない空間にすれば効果がより大きくなる。また、充填した障害物にピンを取付け、内筒・外筒の断続を行っても良く、鍵口の閉塞を行っても良い。
【００５５】
錠の外径は従来のものよりは大きくなるが、基本的には持ち歩かないので問題にはならない。鍵も従来のものよりは大きくした方が良く、大きさの限度はあるが、問題にはならない。障害物がピッキング用具と接触する機会をふやし、わずかな感触，かすかな情報が得られ難くする。
【００５６】
第２の部分では、錠の奥の部分であって、部材の後に存在する障害物を取付ける。この障害物は錠底の部分に取付けられ、錠の内部からデッドボルトを動かす為の機構につながる部分に対してのピッキング用具の侵入を防ぐ。デッドボルトを動かす為の機構が障害物を貫通する場合は、障害物の取付け位置は、錠底部分の内筒，外筒に取付けられるが，中空棒・案内棒にも取付けられる。また、デッドボルトを動かす為の機構に直接取付ける事、デッドボルトを動かす為の機構と一体成型する事もできる。
【００５７】
この障害物にはスリットは必要ない。穴は鍵を入れる為のものではなく、デッドボルトを動かす機構が貫通する為のものである。ピッキング用具が入れられる可能性があるので、穴とこの機構の隙間を小さくする。或いは筒の後方から重なるようにして障害物を設置する。障害物の形状は円形の板であって良いが、円柱，円錐台，円錐状であって、前面を同心円状に波型にしても良い。障害物の全てが内筒に入るものであっても良く、段差があって一部が内筒からはみ出すものであっても良く、外筒に取付けられていて全てがはみ出していても良い。障害物の動きに関しては固定された障害物とする事，回転する障害物とする事ができる。
【００５８】
デッドボルトを動かす為の機構が障害物を貫通しない場合は、内筒の中に障害物が固定され、その後方から内筒とデッドボルトを動かす為の機構につなげる部分を取り出す。具体的にはこの障害物に棒状材料等を取付け、（第三の部分での、案内棒の方式，錠底に取付けられた中空棒の方式）これとデッドボルトを動かす為の機構をつなぎ合わせる。この場合は穴も必要ないのでピッキング用具が入れられる可能性がない。
【００５９】
第３の部分では、部材が障害物の間に存在するか、或いは障害物の後方にも部材が存在し、挿込まれた鍵が部材の間に存在する機会がある。本発明での錠の内部の障害物は、鍵を回す中心線を軸として、直線又は曲線を回転させて得られる面或いは立体である。障害物の形状は軸に垂直な平面，軸に水平な円錐，円錐台，円柱の形状であり、或いはこれらの断面の斜面の線が曲線，凹凸になる形状である。障害物が中空であればこれらの側面の形状である。この障害物は前の端部は開放されているが、奥の端部は閉塞されていても良く、この場合は錠底でのデッドボルトに関連する機構の保護もできる。
【００６０】
障害物の中心には鍵を出し入れし、鍵軸を回転させる為の穴を有する。障害物の扉に平行な面への投影図は、鍵を軸に垂直な面へ投影した形状に対応し、障害物の半径或いは直径の位置に、鍵を出し入れする為に必要な穴とスリットを有する。穴とスリットは兼用しても良い。扉に垂直な面への障害物の投影図は、鍵を軸を含む面へ投影した形状に対応し、鍵面に、鍵を回す為に必要な切れ込みを有する。障害物は鍵の回転径の内側にも存在でき、鍵面と鍵軸の間にも存在できる。
【００６１】
第３の部分では、スリットの形状と、障害物の形状，鍵面の形状は相互に関連するので、鍵面を軸に垂直な面で切断した断面の形状を、障害物を軸に垂直な面で切断した断面の形状に合わせる。第１の部分では、部材の間の余分な空間を充填物で埋めたもののスリットは、鍵の錠に入る部分を軸に垂直な面へ投影した形状にする。鍵面と部材の形状と位置，鍵面と障害物の形状と位置は相互に関連するので、障害物を軸を含む面で切断した断面の形状を、鍵面を含む面で切断した断面の形状にする。片方を変更した場合は他方も変更する。
【００６２】
鍵は、錠の中での動かし形に対応して形状を合わせる。保持部と鍵面の間に鍵軸のみである部分が存在する鍵であって狭い部分を鍵軸が回る場合と、鍵面の軸を含む面での断面が、固定された障害物の形状に切り込まれている形状の鍵であって広い障害物の周りを回る場合がある。また、先端部分に障害物があって、先端部に鍵面のみが存在し、鍵軸そのものが切り込まれている場合がある。鍵軸が鍵面の中央にあっても良く、中央からずらしても良く、片側にあっても良い。
【００６３】
開閉には公知のピン方式，レバ−方式を用いるので、この為の部材を錠の内部に設置し、鍵をこれと対応をとった形に設定する。ピン方式のピンは、本来のピンの働きをする施錠・開錠機構につながったものを用いる場合と、内筒と外筒の連結のみを行うが施錠・開錠機構につながっていないものを用いる場合がある。更に、本来は余分なものであっても、ピッキング操作の邪魔ができるなら、動きに関係がないニセピンも使用できる。内筒・外筒を断続するだけに関与し、施錠・開錠機構がないピンであれば取付け易く、太いものがいろいろな位置に取付けられる。ニセピンであればピンのみ，ピンとバネが存在すれば良いので更に取付け易い。
【００６４】
例えば錠面に向かう多数のピンを配置し、その中の一部が本物のピンであり、施錠・開錠する為の機構と連結している。他のピンは存在するが、全く働きの無いニセピンであり、ピッキングの邪魔をする効果のみがある。或いは錠面に向かう多数のピンを配置し、その中の一部が本物のピンであり、施錠・開錠する為の機構と連結していないが、内筒・外筒を断続する為に働くものである。他のピンは存在するが、全く働きの無いニセピンであり、ピッキングの邪魔をする効果のみがある。
【００６５】
ニセピンの配置する数，場所等は適宜決めて良い。また、ピッキング用具が挿し込まれると予想される部分にニセピンを配置しておくと良い。正規の鍵を持っている場合は本物，ニセモノの判断をする必要は無いが、侵入者は多くのピンを当たらなければならない。本物のピンの前・間に設置すると邪魔をする効果が大きくなり、ピッキング用具の動線を考えて適切な位置に設置する。ニセピンの形状は通常の様に円筒状であっても良いが、平面に近い形状であっても良い。単に侵入者の邪魔をする為に、鍵口のスリットの近傍で、鍵の入る部分を棒状，板状のニセピンで覆うことができる。入れられたピッキング用具はこの部分に強く接触し、雑音が大きくなる。
【００６６】
ピッキング用具を間違った場所に挿し込ませる為に、本来は鍵が入る位置以外にスリット（ニセスリット）を開けておく。ピッキング用具がこの中に入ってしまえばこのニセスリットは障害物になる。たとえば軸に垂直な平面に本物のスリットが存在する場合、平行移動した位置，角度を変えた位置，軸を中心に回転させた位置にニセスリットを設置する。たとえば平面に放射状に４本のスリットがあり、１本が本物であり、３本がニセスリットである。また、ピッキング用具の動きを考え、動線の延長線が届き易い位置にニセスリットを設置しておくと良い。ニセスリットとニセピンを併用しても良い。
【００６７】
鍵が動く空洞は鍵の厚さよりも広いので、動き得る空間の最大誤差を考えて、これから外れ、本来の鍵の出し入れを阻害しなければ、ニセスリットをどの位置に取付けても良く、場所，方向，数，種類，形状の制限は無い。一方、ピッキング用具の形状は鍵の幅よりは一般的には狭いので、本来の鍵が入らないスリットであってもピッキング用具が入る事がある。侵入者は本物のスリットとニセスリットの区別がつかないが、正規の使用者は動かし方がわかっているので問題なく使用できる。
【００６８】
ピッキング用具が線状であればニセスリットで作業の邪魔ができる。ピッキング用具が板状であれば、幅が狭い事，スリットの曲がりを大きくする事，動きに応じて狭くする事で作業の邪魔ができる。２つを同時に行うと作業を邪魔する効果が大きくなる。ニセピンは本発明の錠に用いるほかに、従来の型の錠に対しても取付けることができる。
【００６９】
錠の内部の空洞も障害物の働きをする。部材の端部が錠の内部でむき出しになっているという条件で、錠面或いは錠底と、部材の端部の間に、鍵を回せるだけの大きさの空間を持つ場合であって、部材への鍵の入口のスリットと錠面の鍵口のスリットを異なった面に存在させれば、鍵は必要なだけ回してから部材に入れなければならない。ピッキング用具にも同じ動きを要求できるので、この条件では空洞は障害物の働きをする。部材の端部を保護する為に板状材料を用いれば板状材料自体が障害物になる。レバ―方式の部材はこの空間に取付けられる。
【００７０】
錠面も障害物の働きをする。鍵口のスリットと部材の入口が同一面上にあるが、その距離が離れている場合，鍵口のスリットと他の障害物のスリットが同一面上にあるが、その距離が離れている場合，2つのスリットが同一面上に無い場合，鍵口の材料が厚く、スリットが深い場合（長さが長い）である。このような場合、錠面がピッキング用具の動きを制限する事ができるので、この条件では錠面は障害物の働きをする。公用の薄い材料の鍵口のみによるスリットでは、入れたピッキング用具が自由に角度を変えられ、前後に動かせるので障害物にはならない。
【００７１】
障害物の取付けは、固定しても良く、固定しないで動く状態にしても良い。固定するものは錠面，錠底，内筒，外筒，中空棒，案内棒，部材の間  等に取付けられ、鍵を障害物のスリットから挿し込み、鍵面が障害物に沿って回転する。固定しないで動くものは内筒，外筒の内部に取付けられ、鍵の一部が障害物の中にあり、鍵の回転と共に障害物が回転するので、外側に軸受け等を配置して回転し易くする。
【００７２】
取付けられた障害物が内筒以外に固定されている場合、鍵を回すと内筒を一緒に回しながら、鍵面の切れ込み部分が障害物の周りを回転し、鍵面の切り込まれていない部分が部材と接触し、或いはピンの周りに位置し、施錠・開錠ができる。鍵面が障害物の中に全て入る場合であって障害物が回転する場合、或いは空間が障害物である場合は、鍵面の形状の制限はない。障害物が内筒の中で固定されている場合は、ピッキング用具を入れ難くする為の障害物としてのみの働きと、力を受けて内筒を回すための効果がある。障害物と軸を含む面での鍵面の投影図のスリット，軸に垂直な面での鍵面の投影図の鍵面と障害物のスリットを関連つけておけば良い。
【００７３】
固定された障害物を用いて錠の内部を分割する事ができる。分割された少なくとも1つには施錠・開錠する為の機構が取付けられている。分割された内部に動く障害物を取付けても良い。鍵は一度に入れて回しても良く、入れる事と回す事を繰り返しても良い。
【００７４】
回転する障害物を用いる場合、内筒と外筒を連結するピンを取付けても良く、内筒の中で単に回転するだけのものであって、ピッキング用具を入れることを邪魔するだけのものを取付けても良い。いずれの障害物を用いた場合も、正規の鍵を障害物のスリットに挿し込み、回転させると、鍵口のスリットとの間に差異を生じ、スリットは次第に狭くなる。回転するに従って中心軸を残して他の部分が閉塞されるので、線状のピッキング用具であれば入れられるが、軸を長く固定されているので、途中から曲げる事は難しい。板状のピッキング用具を入れる事は難しくなり、回転に伴って難しくなる。
【００７５】
中空棒，案内棒自体も障害物の働きをするが、これらに第２の障害物を取付けても良い。錠面側に取付けた場合、鍵を入れる時に鍵軸，鍵面と重なる部分にスリットを設ける。中空棒は肉厚であってスリットが細い方が効果がある。ただし、正規の使用者にとって障害になる部分で、中空棒に鍵を入れ・中で鍵を回す為に障害となる部分は削り取り、鍵が回る部分のスリットのみを太くし、他の鍵を入れる為のスリットは細くしておく。鍵面はスリットが重なる部分のみを薄くすれば、他の鍵面は厚くしても良い。錠面のスリットと第２の障害物のスリットの面を異ならせれば、鍵を入れてから回転させ、その後にまた入れるという使い方ができる。複数の障害物を用いる場合は回転方向を変える事ができる。錠の外側に取付けるとデッドボルトを動かす機構につなげる事ができる。
【００７６】
中空棒は鍵を入れるときの案内役をするが、ピッキング用具を入れるときの案内役もする。ただし、中空棒は錠の内部に達する直管の形状であるので、ピッキング用具は直線状には容易に入るが、入ったピッキング用具を途中から曲げて目的の場所に到達させる事は難しく、できたとしてもピッキング用具が中空棒の内部に強く押しつけられ、情報が得難くなる。スリットを細くする事でもピッキング用具の動きを制限する事ができる。
【００７７】
中空棒は錠底の途中までの長さにする事ができる。この為の鍵は、鍵軸の先端部に鍵面を取付け、鍵面が鍵軸から一部がはみ出す状態であれば良い。鍵面と鍵軸の接続部分を大きく切り取っても良い。錠底に取付けた場合も、鍵の先端部分で鍵軸をなくす事ができる。この場合、障害物の存在によってピッキング用具は途中までしか入れられない。ピッキング用具が中央にしか入らない条件とこの条件を組み合わせると、施錠・開錠機構の保護もできるのでこれらを組み合わせると良い。
【００７８】
侵入者が障害物の中・周辺でピッキング用具を動かす場合に、勝手に動かされる事は好ましくないので、ピッキング用具が障害物によって挿入され難くする事と、障害物に接触しながら動いて、ピッキング用具からの微妙なタッチ，細かな感触がわかり難い方が好ましい。この為に鍵が動く部分を狭く・細いスリットを、長い距離で、急に曲がる形状にした。部材はピッキング用具が届き難いと想定される位置にも設置する。
【００７９】
錠に何を期待しているかによって、障害物，鍵の選定，使用方法が選択される。本発明ではピッキング用具を入れられ難くする効果とピッキング用具を動かし難くする効果を狙う。また、ピッキング用具からの信号を得難くする効果，雑音が入り易くする効果も狙う。本発明は複数のファクタ−の組み合わせであるので、いろいろな手段があるが、次のものが例示できる。これらを満足させ，効果を更に大きくする為には、鍵には強度が高い素材を使用し、薄い鍵を用いる事、大きい鍵を使用すると良い。
【００８０】
障害物の形状による効果を説明する。錠の内部空間を大きくし、部材を配置した後に、必要でない部分を充填して障害物とする。鍵の為の空間を除いて部材の近くまで充填すると良い。錠の内部を大きくしても、充填物を使用する事によって余分な空間はできないので、部材の数，位置，大きさが自由に選択できるという特色だけが残る。鍵は、充填材の形状に連動していればどの様な形状であってもよい。ニセピンは邪魔をする効果があるので必要な部分に含まれる。
【００８１】
大きい面積の障害物を用いると、ピッキング用具は部材に届き難くなり、届いても垂直には届かない様になる。中心からピッキング用具を入れる場合、部材と障害物の中心からの距離が遠くなるので、ピッキング用具を大きく曲げなければ部材に届かす事ができない。
【００８２】
厚い障害物を用いると、スリットが長くできる。侵入者はピッキング用具を挿し込んだ後に長い距離を動かさないと部材に達しない。スリット面で動きが規制されるので、スリットを通過するまでは同一面上にあって、スリットを通過した後に、急激にピッキング用具を曲げる動きをさせる事は難しい。接触面積が大きくなると余分な雑音が大きくなり、微妙な情報を得難くする効果も大きくなる。
【００８３】
鍵軸が入る位置からピッキング用具を入れる場合に、部材と障害物の距離を近くすると、障害物を通過した後に急角度でピッキング用具を曲げなければ部材に届かない。障害物を部材の間に組み込めばより狭くでき、障害物を薄くすれば効果は更に大きくなり、大きな障害物を用いれば効果は更に大きくなる。
【００８４】
スリットから短絡してピッキング用具を入れられる場合を考慮して、スリットを細くする。鍵軸が入る位置からスリットにピッキング用具を入れる事，始めからスリットにピッキング用具を入れて斜めに動かす事が難しくなる。ピッキング用具を操作する時に障害物に接触してしまい、部材からの直接の情報が得られ難くなる。大きく曲げる場合，急角度で曲げる場合は、接触がより強くなるので雑音が大きくなる。
【００８５】
板状のピッキング用具を入れられる場合を考慮して、スリットを波型にする。この為に波型の鍵面の鍵を用いる。周波数を大きくすると、ピッキング用具を縦に入れる場合は波に垂直にしか入らない。波高を大きくすると、ピッキング用具を横に入れる場合はほとんど不可能である。線状のピッキング用具は、まっすぐ入れる事はできるが、斜めに入れる事はできず、途中から曲げる事もできなくなる。波型とは障害物を軸方向に動く曲線で切断した形状を意味する。サインカ−ブのような形状であっても良く、ランダムに曲がったものでも良く、角を持って急角度で曲がったものでも良い。波型と薄いスリットを組み合わせると効果が大きくなる。この時、鍵口のスリットの形状と軸に垂直な面での鍵面の投影図の形状を連動させる。
【００８６】
薄い鍵を使用し、或いは鍵軸と鍵面の接触部だけであっても薄くすると、障害物のスリットを細くできるので、ピッキング用具は挿し込み難くなる。鍵軸が入る位置からピッキング用具を入れられた場合、スリットを通過するごく細いピッキング用具が入る可能性があるが、この様なピッキング用具の先端で力をかける事はできない。また、強く接触するので微妙な情報が得難くなる。
【００８７】
線状のピッキング用具はまっすぐのみであれば入るが、傾ける事はできず、板状のピッキング用具を入れる事は難しい。鍵面に凹凸をつける事，鍵面を薄くする事，鍵の幅を広くする事を組み合わせると効果が大きくなる。先端に鍵軸が存在しない鍵を用い、錠底の障害物と組み合わせるとピッキング用具は奥までは入れられなくなる。更に、内筒の奥を密封すれば、ピッキング用具を内筒から出してデッドボルトを動かす為の機構に到達させる事はできない。
【００８８】
大きな力でピッキングを行わなければならなくする為に、錠の内部空間を広くして、太いピン，太いバネの大きな・太い部材を使用する。侵入者が大きな力を用いる為には、ピッキング用具は太くなければならない。これが使えない様にする為に、錠の内部を狭くする，部材と障害物の距離を近くする，障害物のスリットを細くする，スリットを長くする等の対策を組み合わせ、ピッキング用具を目的地に届き難くする。ピンの取付け位置は内筒・外筒の周辺にこだわらず、障害物に取付ける事もできる。
【００８９】
ピンに障害物の働きをさせる為に部材の高さ，太さを変える。公知のものは部材の高さが大きくは変わらないが、内部空間を広くすれば幅の広い鍵面と大きい障害物を用いるが、複数の部材の高さ，太さを大きく変え、突き出したピンと引っ込んだピン，太いピンと細いピンを共存させられる。突き出したピン，太いピンに本来のピンとしての働きと、障害物としての働きを兼ねさせる。ピッキング用具の動きを制限すると共に、細かい情報が得難くなる。ニセピンを併用すると良い。平面に近い幅が広い形状のニセピンは、鍵の入る部分をニセピンで覆うことができるので、入れられたピッキング用具はこの部分に強く接触し、正しい情報が得られ難くなる。
【００９０】
鍵の厚さについては一長一短がある。複雑な形状にできるという意味で厚い方が良いが、ピッキング用具を挿し込む事を難しくする意味では、薄いほうが良い。鍵面と鍵軸の接点のスリット部を薄く、部材に接触する部分を厚くしても良い。大きな障害物を用いる為には、幅が広い鍵を用いなければならないが、鍵面が、保持部と同じ大きさになるまでは、鍵の持ち歩きに不便である事はない。鍵面の長さが短くなりすぎる場合は幅を広げて鍵面を利用し、公用の鍵よりも幅の広いものを使用すると良い。切れ込まれた部分で残った部分を厚くすると、大きな切れ込みがあっても鍵の強度が確保できる。
【００９１】
正規の使用者が使い易くする為に、錠底側に案内棒をつける。鍵軸を中空にすれば、この中に鍵軸を入れる事ができるので、鍵は容易に中に入り、回転させられる。また、案内棒は錠の中で、鍵軸の入るべき空間を狭くするので、ピッキング用具が挿し込み難くなり、ピッキング用具を錠の中で回すときの障害物の役目もする。中空棒を取付けても同じ効果がある。
【００９２】
障害物の形状，厚さ，取付け位置，取付け数，スリットの形状によって鍵違い数が決まる。これとピンの位置，数による鍵違い数が組み合わされて全体の鍵違い数が決められる。
【００９３】
使用する素材は公知のものでも良いが、高強度特殊鋼，ステンレス鋼等の強度が強い材料を用いたほうが、鍵を小さくできる点で好ましいが、意識的に小さくしないで、更に薄く、細く、複雑な加工をすると効果が大きくなる。加工は公知の切削方法で良く、最近のレ−ザ−加工、高圧水加工等でも良い。部材の機構はピン・タンブラ−方式，磁石方式，ピン・スプリング方式，レバ−方式等の公知の方法で良い。ピンの数を少なくしてでも太く、大きいものを使用する事が望ましい。製作も公知の技術を用いる。
【００９４】
新規の錠に対する方法には５つの手段がある。第１の手段は、軸に垂直な平面，曲面の障害物を用いて錠の内部を複数に分割する。鍵口，部材への入口，障害物のスリットは同一面上には存在しない。鍵を始めの部分に入れ、回してから第２の部分に入れ、回して施錠・開錠する。第２の手段は、軸に垂直な平面，曲面の固定された障害物を用いて錠の内部を複数に分割する。鍵口，部材への入口，障害物のスリットを同一面上に存在させる。鍵を入れ、回して一回で施錠・開錠する。第３の手段は、扉に垂直な立体，厚い平面の固定された障害物を使用するが、錠の内部は分割しない。鍵を入れ、回して一回で施錠・開錠する。第４の手段は、内筒を障害物で充填して余分な空間を無くする。第５の手段は、デッドボルトを保護する為に錠底に障害物を設置する。
【００９５】
侵入者は部材に対応して通常の鍵を用いた様にして部材に対応して開錠する。或いは部材に関与せずに、ピッキング用具を錠底にある開閉機構に直接向かわせる。
【００９６】
第１の手段は、軸に垂直な平面，曲面の障害物を用いて錠の内部を複数に分割する。内筒を分割しても良く、分割した部分にそれぞれ内筒を設けても良い。鍵口，部材への入口，障害物のスリットは全てが同一面上には存在する事はない。鍵を始めの部分に入れ、回してから第２の部分に入れ、回して施錠・開錠する。スリットは直線，波型のいずれであっても良い。たとえば２分割する場合、錠面のスリットと部材への鍵の挿入スリットとを異ならせ、２つのスリットの間に鍵面が回転できるだけの間隔をつくる。鍵は錠面のスリットから入れ、回転させてから部材への挿入スリットに入れ、更に回転させてから施錠・開錠させる事ができる。障害物の数を増やせば分割数が増加し、効果が大きくなる。各々のスリットを９０度から１８０度異ならせれば効果が大きくなり、ピッキング用具も同じ動きをしなければ目的地に到達しない。
【００９７】
鍵を回転させる部分は空洞であっても良く、回転できる障害物であっても良い。少なくとも１つには施錠・開錠機構に連結されたものがあり、他は内筒と外筒のみが連動したものでも良く、一部はニセピンでも良い。
【００９８】
内部の障害物にニセスリットを造っておき、同一面上に本物とニセモノを共存させると良い。ニセスリットは障害物の面，回転できる障害物の表面，内部のいずれに取付けても良い。正規の使用者は本来のスリットの位置はあらかじめわかっており、ニセスリットには入らない様に動かせるので問題無い。侵入者は本物と偽者のスリットの差がわからない。作業の邪魔をする為に空間内に振動，音を発生するものを入れておいても良い。
【００９９】
この場合の鍵は、鍵の中ほどに鍵軸のみが存在する部分があって、この部分には鍵面，保持部がついていない鍵を用いる。鍵軸は障害物の中央にある穴の中で回転できる。２分割する場合は、鍵面を、錠に入れられる部分の鍵の長さの半分以下に設定すれば、鍵を入れ、回した後でまた動かす事ができるので、ピン方式，レバ−方式のいずれであっても良い。ただし、錠面・障害物の厚さを考慮する必要がある。ｎ分割する場合は１／ｎ  にする。鍵面が短くなるので、鍵違い数の減少を気にするのであれば、鍵面の幅を広くし、鍵面にもピン穴を配置すれば良い。鍵面は鍵軸の片側に取付けても良いが、両側に取付けても良い。
【０１００】
部材の位置は錠面に近い表側であっても良いが、錠底に近い奥側であっても良く、両方に存在させても良い。部材が奥側にある場合、鍵は錠面のスリットから途中まで入れ、回転させてから内側の部材への挿入スリットに入れ、更に回転させてから施錠・開錠する。
【０１０１】
部材が表側にある場合、鍵は錠面のスリットから奥まで入れ、回転させてから内側から部材への挿入スリットに引き戻し、更に回転させてから施錠・開錠する。ピッキング用具も同様な動きをさせなければならず、ピッキング用具を入れる為には、一旦錠底近くまで入れて回転させてから、鍵底面方向から反対方向に向かって挿し込まなければならないので、ピッキング用具を入れる事は極めて難しくなり、仮にできたとしても錠の内部に強く接触するので正確な情報が得難くなる。障害物の数を増やす場合、第１の障害物での回転方向と、第２の障害物での回転方向とを異ならせ、逆方向の回転にしても良い。障害物の数が多ければ効果はより大きくなる。
【０１０２】
部材の位置は１箇所で良いが、複数でも良い。錠の機構はピン方式でも良く、レバ−方式でも良く、両方を用いても良い。正規の使用者は鍵を余分に動かさなければならないが、一つの鍵で開閉できる。また、動きはあらかじめわかっているので問題はない。
【０１０３】
両方をピン方式にする為に、鍵面の形状に合わせて部材の配列を同じにすれば、１つの鍵面で対処できる。始めに鍵が入る部分に内筒と外筒の回転には関与するが錠の開閉機構につながっていないピン，ニセピンを設置し、第１の内筒と鍵を一緒に回す。後でピンが入る部分に本物のピン，ニセピンを存在させ、第２の内筒と鍵を一緒に回し、施錠・開錠する。このとき、鍵軸のみの部分は第１の内筒の中で回転できる。
【０１０４】
障害物の使い方によって、ピッキング用具を曲げて動かす事，まっすぐ動かす事，スリットまではまっすぐ動かし、スリットを通過した部分だけを曲げる等の複数の動きを、場所ごとに、方向を変えて要求できる。これによって、斜めには届くが垂直には届かないという状態，届かないという状態，動かせないという状態にでき、間違って動かす機会を増やせる。また、ピッキング用具と障害物の間で雑音，不要な音が発生するので判断が難しくなる。
【０１０５】
中空棒，案内棒に第２の障害物を取付ける事もできる。鍵を入れる為のスリットを鍵軸，鍵面に設ける。中空棒には鍵が回る為のスリットをつける。錠面のスリットと第２の障害物のスリットの面を異なった面に存在させる。同じ面に存在させる場合は、第２の手段になる。
【０１０６】
錠の中心が奥まで棒状に開いていれば、この部分に直線のピッキング用具を入れる事ができるが、細い，薄いものであっても平面状のピッキング用具を入れる事ができない。鍵口を含めて複数の障害物が距離をおいて存在するので、まっすぐ入ったものを後で曲げる事が難しくなる。ピッキング用具は、本来は不要な場所に接触してしまい、余分な雑音が入るので、正確な情報が得難くなる。無理に入れると雑音は更に大きくなる。
【０１０７】
鍵軸が途中までしか無いものであって、障害物で挿入を防いでいれば、ピッキング用具は途中までしか入れられない。動かし方は形がないものであり、ソフトウエアに対応する。機構的なハ−ドウエアはピッキング用具で判断できても、動きの部分，動かし方はやってみなければわからない。正しく使用する側はソフトウエアがわかっていれば良い。
【０１０８】
第２の手段は、軸におおむね垂直な平面の固定された障害物を内筒に取付け、錠の内部を複数に分割する。間隔は同じである必要はない。鍵口，部材への入口，障害物のスリットを同一面上に存在させる。使用時には鍵を一回入れて回し、施錠・開錠する。スリットは直線，波型のいずれであっても良い。鍵は障害物の位置，形状に切り取られており、障害物は鍵面の形状にスリットがつけられている。障害物で分割された個々の空間には、回転する障害物，単なる空間が存在する。外筒に固定された障害物を併用する事もできる。内筒は一体物であっても良く、空間ごとに分割されていても良い。空間には回転できる障害物を挿入しても良いが固定する障害物は入れてはならない。
【０１０９】
この障害物の間の少なくとも１つには、内筒・外筒につながり、錠・開錠機構を断続できるものを取付ける。他に入れられる障害物は、内筒・外筒につながり、断続できるものであっても良く、動きには関与せずに単なるピッキング用具の挿入を防ぐもの，空洞であっても良い。施錠・開錠機構に関与しないものであれば設置位置が取り易く、鍵面の軸の近くにも設置できる。内筒・外筒につながらなければ更に自由な位置に取付けられる。ピンは本物とニセピンを併用しても良い。
【０１１０】
この方式では複数の障害物を同時に動かさないと施錠・開錠できない。また、ピンの位置が立体的に配置できるので、ピッキング操作はやり難くなる。障害物の穴を大きくしておけば、鍵軸が穴で保持されるので安定に回すことができる。更に、錠面を利用する場合、錠面を厚くする事，錠の内部に存在する始めの障害物と錠面との距離が離れている場合は、錠面とスリットで新しい障害物を構成し、同様の原理の効果が得られる。
【０１１１】
錠面或いは障害物のスリットの中に入れられたピッキング用具をまっすぐ入れる事はできるが、まっすぐ入れながら途中から曲げる事は難しい。スリットを波型，凹凸が大きい形状の、直線でない形状にすれば、まっすぐ入れたピッキング用具を斜めに動かす事が難しくなるので効果が大きくなる。
【０１１２】
第３の手段は、扉に垂直に置かれた立体，厚い平面であって、錠面，錠底，外筒の端部に取付けられた固定された障害物を使用するが、錠の内部は分割しない。使用には鍵を一回入れて回し、施錠・開錠する。鍵面は障害物を、軸を含む面で切断したときの断面の形状に、内側に深く切り込まれた形状になる。内筒に併せて取付ける場合は、障害物が動く事でスリットを相対的に細くする効果があり、ピッキング用具を入れ難くする効果もある。
【０１１３】
障害物は円錐台，円柱の形状であり、これの側面を波立たせた形状であっても良く、その他に自由な曲線を軸の周りで回転させ、これの断面を持つものであっても良い。内筒に併せて取付ける場合は平面であっても良い。障害物のスリットは鍵に連動していれば直線，波型のいずれであっても良い。障害物は鍵の形状のスリットと穴を有する。障害物の穴を大きくしておけば、鍵軸が穴で保持されて安定に回すことができる。
【０１１４】
部材の位置は、鍵面の入れられる部分の内側に位置し、大きく切り込まれた部分の周辺に部材を設置すると良い。障害物が円錐台であれば、大きい方の面を錠の内側に取付け、広がった部分を避けて障害物と内筒の間，曲がりが大きい部分に部材を配置すると良い。鍵の強度確保の為には、鍵面を切り取って残った鍵面の部分を厚くする。
【０１１５】
第４の手段は、内筒を障害物で充填して余分な空間を無くする。錠の内筒の内部に大きな空間を造って、部材の形，数，取付け位置を自由に設定する。この場合は余分な空間があり、ここで侵入者が作業をするので、この余分な空間に他のものを充填して障害物とする。
【０１１６】
この障害物は他の利用方法がある。通常のピンは内筒・外筒を断続するものであり、外周につけられるが、充填した障害物は中心付近にも位置できるので、これに通常よりは長いピン等を取付け、内筒・外筒の断続を行うこともできる。鍵口部分の障害物にピンを取付けると、ピッキング用具を入れる時の障害物としての働きをする。
【０１１７】
第５の手段は、錠底部付近であって部材が存在する部分の更に奥に障害物を取付ける。鍵がここを通過する事はなく、正規の使用者にとっては意味のない空間である。この後方にはデッドボルトを動かす為の機構が存在する。この障害物に小さな・狭い間隔の隙間しかなければピッキング用具は極めて入れ難くなる。密閉されており、隙間がなければピッキング用具は入れられない。障害物は平面，円錐台，円柱の形状であり、これの前面を同心円状に波立たせた形状であっても良い。障害物のスリットは必要ないが、障害物の穴は必要な場合と不要な場合がある。
【０１１８】
穴は鍵を入れる為のものではなく、デッドボルトを動かす為の機構が障害物を通過する為のものである。デッドボルトを動かす為の機構に障害物を直接取付ける場合，デッドボルトを動かす為の機構と一体成型する場合は隙間がなくてもこの構造ができる。障害物の中を貫通させる場合は、隙間が小さくなるように設定する。外筒に取付ける場合で、大きくはみ出す形状の場合は、扉に平行な円周状態の隙間ができるが、デッドボルトを動かす為の機構には向かっていない。内筒の内部に障害物を設置し、デッドボルトを動かす為の機構に連結する部分を、その後方の内筒に直結する部分から奥側に取り出す場合，或いは内筒に取付けた障害物から奥側に直接取り出す場合は、穴も必要ない。
【０１１９】
第１，２，３，４の手段において、障害物の一部を鍵が入る部分の先端よりも奥に存在させ、この部分を密封すると第５の手段と同様の効果がある対策ができる。隙間が狭い場合はピッキング用具が入れ難く、隙間がなければ物理的に入れる事はできない。
【０１２０】
正規の鍵は障害物のスリットから入れられ、そのような形状に設定しているので、障害物はどのような形状であっても良い。障害物の底面が大きいと鍵面を切り込むので幅が狭くなり、侵入者はピッキング用具を狭い空間を通過させてから、迂回して目的の部材に向かわなければならないので、切れ込み部分から中に入らず、ピッキング用具はより動かし難くなる。スリットを細くすれば、途中からスリットを短絡して部材が存在する部分にピッキング用具を入れられる事はなくなる。また、正規の使用者は錠の中から開閉機構にものを入れる事はしないので、この部分からは何も入らなくても良い。
【０１２１】
４つの手段を組み合わせることができる。例えば第１，２の手段に第３の手段を組み合わせ、部材が存在する部分での鍵の回転を制限することができる。また第４の手段に第１，２，３の手段を組み合わせ、部材の部分を通過し難くすると共に、部材の部分を通過したピッキング用具が施錠・開錠機構に届くことを防ぐ。また第４の手段に公知の錠を組み合わせ、部材の部分を通過したピッキング用具が施錠・開錠機構に届くことを防ぐ。
【０１２２】
第２の方法について説明する。これまでは新規な錠の構造を検討してきたが、取付けた障害物を外に出し、内筒を２つに分けると、新規の障害物によるものと既存の錠によるものの組み合わせであると解釈できる。既存の錠とは、既に取付けられている錠，新しく使用される従来型の錠である。新規の障害物は旧来のウエ−ド方式を応用する。通常のウエ−ド方式の錠を開錠する行為が、本発明では従来の錠に鍵を届ける行為に相当する。その後は既存の錠に対して、新規の障害物と既存の鍵を一緒に回して開錠をする。
【０１２３】
これには４つの手段があり、第１の手段は鍵を動かす外部補助材を使用し、鍵を可動部分の中に全て入れてから鍵口まで動かし、この後に錠に鍵を挿し込む手段，第２の手段は補助材を使用せず、可動部分の一部を解放状態にしてから人の手で鍵を入れ、そのまま錠に挿し込む手段，第３の手段は可動部分を２重構造にしたものであり、内側の板に鍵を取付け、あるいは動く板に鍵を取付けてから、板ごと動かして錠に挿し込む手段，第４の手段は新たに取付けた固定部分に錠をつける手段である。いずれの場合も障害物の形状，補助材の形状、動かし方に制限があり、それぞれが関連しているが、新規に取付けるものであるので、その様な関連があるように造れば目的のものができる。
【０１２４】
新規に取付けられる障害物を外部障害物と称する。外部障害物には扉に取付けられて固定される部分（固定部分）と、鍵が挿し込まれ、鍵の回転と共に一緒に回転する部分，或いは鍵が入れられ、中で動く部分（可動部分）がある。２つの部分は向かい合っており、向き合った面を回転運動させる為に、一般的に円筒内の軸を動かす為の深溝玉軸受け，アンギュラ玉軸受け，平面を動かす為の平面底スラスト軸受け、或いはこれに類似するラジアル軸受け，玉軸受け，すべり軸受け，流体軸受け，クラッチ等の公知の固定する材料（固定具）で結合される。第４の手段は固定部分に新設の錠をつける。
【０１２５】
第１，２，３の手段の共通点は鍵と障害物の距離が極めて近く，回転軸の中にも障害物が存在し、鍵だけを回す事ができない点であり、可動部分と鍵を一緒に回す。固定部分，固定具の周辺を他の材料で被覆すると、外部障害物自体を保護する事ができるので、破壊される事への安全性が向上する。障害物が極めて近くに存在するので、ピッキング行為が行い難くなる。また、動きを要求しており、その様に動かさないと中に入っていかない。
【０１２６】
錠の鍵口の前に公知の手段で、外部障害物の鍵の出口が合うように取付ける。変形しない部分（一般の扉，戸）に取付ける場合は、外部から取外せない様に、ビス止め，接着剤止め，溶接等で取付ける。扉，戸に直接取付けても良く、錠自体の外面に取付けても良い。シャッタ−，可動間仕切り等の変形するもの，非使用時に収納するものには、錠を閉める時に固定部分を取付け、錠を開けた後に固定部分を取外すので、ボルト止め，ネジ止め，穴への挿し込みとかんぬき等による固定等の、取外し可能な手段で内側から取付ける。変形しない部分であっても、取付けられた場所が、扉，戸の開閉によって枠等に重なる場合は取付け・取外しを行う。取付け・取外しは、正規の使用者は内側からできるので作業が可能であるが、侵入者は外側からでは取外せない。
【０１２７】
可動部分は、鍵を入れる部分（鍵の入口），可動部分から鍵を出して錠に入れる部分（鍵の出口），可動部分の中で鍵を動かす部分（動き部分）の３点からなる。鍵の入口では、鍵を扉面に垂直に，或いは斜めに、可動部分に上から、或いは可動部分に横から入れる。鍵の全てと外部補助材の一部を鍵の入口から入れる。横から入れる場合、重力を利用して上から入れて使用し、使用後は鍵を引き込んで、可動部分を反対に回して、下から出しても良い。
【０１２８】
鍵の入口と鍵の出口の間に動き部分が存在し、この中で鍵を動かす。鍵の動きは前後の動き，左右の動きが中心であり、動かす方向は基本的に扉面に垂直，平行であるが、斜めの運動，回転を含む運動，ジグザグな運動，らせん運動等を行っても良く、一回行ってもよく、複数回行っても良い。またこれらを組み合わせても良い。複雑にすればピッキング用具が入れ難くなると共に、周辺との接触による雑音が大きくなり、適切な判断が難しくなる。
【０１２９】
動かした後では鍵は扉に垂直な状態になり、鍵の出口から出し、鍵口から錠に入れる。鍵の出口は扉面に垂直な方向であって鍵口の上に位置し、ここから出た鍵は鍵口に向かい、錠の中に入る。鍵の出口には力がかかるので、強度がある（例えば金属製の）厚い材料で造られる。大きさはおおむね鍵の保持部程度の大きさであり、鍵の出口の中に鍵の保持部が入り、手で持つ事の代替をする。
【０１３０】
正規の使用者は動かし方がわかっているので問題なく使用できるが、侵入者は動きがわからないので操作が難しくなる。すなわち正しく動かす為には、ハ−ドウエアとソフトウエアの両方が必要である。これは第１の方法にも共通する。
【０１３１】
可動部分の外形は、鍵を鍵口の上，近傍から垂直に入れる場合，鍵口の上の近くから傾けて入れる場合，或いは動き部分が短い場合は、円筒，多角形柱あるいはこれに類するものであるが、鍵の入口と鍵の出口との距離が大きい場合は、これらに突起物をつけた形状或いは卵型，楕円の形状でも良い。
【０１３２】
鍵の入口と鍵の出口との距離には制限が無い。距離の長短の問題よりも、この部分が存在し、一回でも方向を変える事が重要である。両者の距離を大きくすれば、設定する側は前記の条件を守れば、いろいろな動きを組み合わせて自由に設定できる。動かす距離よりも方向を変える回数の方が重要である。侵入者は長い距離を、方向を変えながら動かしてから開錠を行わなければならない。
【０１３３】
大きく動かすと効果が大きくなる。鍵の長さよりも長く出し入れすると、鍵が動く空洞の間に動き部分の材料が入り込み、直線的な空間は存在し得なくなる。鍵の幅よりも広く動かしても、鍵が動く空洞の間に動き部分の材料が入り込み、直線的な空間は存在し得なくなる。入り込むものは薄くても強度があれば良い。ピッキング用具はジグザグに動かしながら、中に入った部分をジグザグな形状に変えながら使用しなければならず、操作は極めて難しい。
【０１３４】
可動部分を縦に長くすれば縦方向のスリットを長くでき、いろいろな動きができる。侵入者はピッキング用具を挿こむ事はできるが、その後で目的とする方向に曲げる事は難しくなる。公用の鍵の保持部を短くすると、可動部分が同じ大きさであっても、スリットが長くできるので、ピッキング用具を入れ難くするという意味で良い。横に広くしても同様の効果がある。
【０１３５】
可動部分を手で持つ部分の大きさは、手のひら程度の幅或いは径であり、鍵の全てが可動部分に入るという条件を満たせば、大きさ，形状は自由に決めて良く、持ち易い様に凹凸をつけても良い。円錐台，多角錐台の形状であれば、固定部分を大きくして、十分な強度で取付け、手で持つ部分は手の大きさに合わせた大きさにできる。
【０１３６】
可動部分の内部は密実でも良く、中空でも良い。動き部分では、可動部分の内側が密実である場合、可動部分の内部で、「鍵と外部補助材が造る面を空間内で動かした場合の、鍵と外部補助材が通過する空間の中に、可動部分が存在しない。この空間が入る大きさの空洞を設ける。」の条件を満足する空洞を設ければ、この中で鍵と外部補助材を自由に動かせる。形状，動かし方は自由に決めて良い。ニセスリットも自由に作って良い。
【０１３７】
可動部分が密実であれば、侵入者は密実な部分に開けられた空洞を通って侵入行為を行わなければならない。この部分の摩擦抵抗が大きいものを使用すればピッキング用具が動かし難くなり、部材からの微妙な情報が取り難くなり、雑音も大きくなる。
【０１３８】
可動部分が中空であれば可動部分の外側にスリットが存在するだけになるが、ピッキング用具が達しやすい位置にニセスリットを造っておいて、本来の鍵が入る位置をわかり難くする事ができる。中空部分に振動の発生装置，音の発生装置を組込む事ができる。
【０１３９】
可動部分の中で鍵を持たずに可動部分を持って鍵を回す為に、可動部分が中空である場合は、鍵の出口の強度，安定に保持する機能を特に重視し、鍵が抜け落ちる事を防止する為に保持部の形状の凹凸をつける事，鍵の紐穴を利用して凸部の中に入れる事，上から押さえる事等で対策を行う。密実である場合は、可動部分の鍵と接する部分を鍵の保持部の形状に削っておくと、回転時の鍵の固定ができる。
【０１４０】
第１の手段では従来の鍵を従来の錠に届ける為に外部補助材を使用する。外部補助材は、鍵を取付ける部分（取付け部）と、手で鍵を持って出し入れする部分（手持ち部）と、これらを接続する部分（接続部）の３部分からなる。
【０１４１】
取付け部は鍵の保持部に接続される。取付け部の大きさは保持部と同程度であるか、或いは取付け部の方が大きい。手持ち部は、人の指・手の大きさに見合ったものであり、大きさ，形状の制限は無い。取付け部と鍵の固定は強固に行い、単に取付け部に鍵を挿し込む方法，挟み込む方法，丁番等を用いて軸を中心に開閉する方法，ボ−ルジョイント等を用いて点接合し、点を中心に方向を変える方法等の公知の方法を用いる。
【０１４２】
鍵の入口には、鍵と外部補助材の一部が外から挿し込まれるので、表面には鍵と外部補助材が挿し込み方向から中に入る大きさのスリットを設ける。鍵は可動部分の中に全てが入れられ、正規の使用者は手持ち部を手で持って入れる。ピッキング用具を挿し込み難する為に、スリットは、薄く，細く，長い方が良いので、その様な接続部を持つ外部補助材を用いる。
【０１４３】
挿込み方向は扉に垂直であっても良いが、鍵を扉に斜めに挿し込み、可動部分の空洞の中で向きを変え、扉面に垂直にしてから更に挿入する事ができる。鍵の入口を厚くして扉に斜めの鍵の入口をつける，鍵の入口と内部の板状障害物で、２つの鍵が入るスリットで、同一平面状にはあるが錠面には垂直ではないものを使用すれば良い。外部補助材を用いれば鍵は途中から向きを変えられるが、挿入されたピッキング用具を斜めに入れ、途中から向きを変える事は難しい。
【０１４４】
鍵と外部補助材を可動部分の中で動かす場合、可動部分の外側では、接続部が可動部分に重なる部分にスリットを設ける。スリットの大きさは、薄く，細く，長い方が良いので、その様な接続部を持った外部補助材を用い、急角度で動かす方が良いので、その様にスリットを設ける。可動部分の内部では、鍵が動き部分の中にあれば、鍵の動きによる切れ込みは鍵の延長線上にはできなので鍵の為のスリットはできない。鍵を鍵面の方向に動かす，回転させると、内部には大きな空洞ができるが、可動部分の表面にはスリットはできない。
【０１４５】
接続部と鍵の保持部の接続は同一面上にあっても良く、異なった面上にあっても良い。前者の場合は鍵を扉方向に動かす場合、接続部によるスリットができるが鍵の延長面上ではない。後者の場合は鍵と同じ面上を横方向に動かす場合、接続部によるスリットができるが鍵の延長面上ではない。
【０１４６】
鍵を可動部分に出し入れし、中で動かす為には、手持ち部の一部が可動部分から飛び出ている事が必要条件になり、この部分を持って動かすので、その様に外部補助材の大きさを設定する。或いは外部補助材に合わせて可動部分の大きさを設定する。また、その様にスリット，空洞を設定する。手持ち部の出し方は上に出しても良く、横に出しても良い。
【０１４７】
施錠・開錠には、可動部分を手で持って鍵と一緒に回す。鍵は単に挿し込めれば良い。鍵だけを回す事はできないが、可動部分を回した時に、鍵の出口と保持部とで固定された鍵が一緒に回される。鍵と障害物が極めて近くに存在させるので、侵入者に対して作業空間を与えず、ピッキング用具を急激に曲げる，大きく曲げる等の動きを制限ができる。
【０１４８】
また、ピッキング用具が可動部分と接触し易いので、微妙な音，接触状態等の情報が得られ難くなる。外部補助材を持って回すのではないので、接続部は細いものであっても使用でき、その分だけスリットが細くできる。
【０１４９】
可動部分の空洞の内部，密実であって空洞を取り除いた部分に鍵を動かす為には関係ないニセスリットを設ける事ができる。鍵はある程度の大きさの平面形状であるので、幅の狭いニセスリットを無視して動く事ができる。ピッキング用具は線状の形状，細い板状である場合が多いのでこれらのニセスリットに入ってしまう事があり、動きの制限を与える事ができる。動線を考慮して、間違えやすい位置に設定すれば、侵入者が間違える可能性が大きくなる。
【０１５０】
縦方向に鍵を動かす場合（扉に垂直に入れる）、扉面に向かって垂直に動かす。接続部が線の形状を取る場合はスリットは点であり，面の形状をとる場合は、スリットは接続部の厚さに相当する太さの線である。始めに鍵を入れる時は鍵の断面のスリットができるが、横に動かした後であれば、鍵口の正面には鍵の動きによるスリットはできない。
【０１５１】
接続部が波型の線であって横に動かす場合、スリットは波型の線になる。接続部が波型の面であって縦に動かす場合、表面は線であるが可動部分の内部は波型になる。ピッキング用具を曲げながら入れる事，入れてから曲げる事は難しく、斜めには入れ難い。
【０１５２】
線状の接続部を横方向に出して軸に垂直に動かす場合，線状の接続部を縦方向に出して軸に平行に動かす場合、どの様に動かしてもスリットは接続部の太さの線になるので、曲線の動き，ジグザグな動き等の自由な動きをさせる事もできる。接続部は細い方が良いので細い材料を使用する。鍵が可動部分に埋まっている限り鍵口の正面には鍵の動きによるスリットはできない。侵入者はピッキング用具を縦に挿し込む事はできるが、斜めに挿し込む事はできず、入れた後に目的とする方向に曲げる事は難しい。
【０１５３】
接続部の形状は動かし方によって変える。基本的には小さく・細く・薄くするが、波型・ジグザグな形状である場合で同じ面上を動かす場合は、横からピッキング用具が入れられないので、接続部を大きくした方が良い。
【０１５４】
鍵を扉に垂直に回転させる場合、可動部分の中に回転できる障害物（第１の方法の回転できる障害物であって内筒・外筒を連結しないもの）を併用すると良い。スリットから入った鍵が回されると回転できる障害物と一緒に回転する。回転と共にスリットが狭められるので、横移動しない場合は回転の中心のみが開いており、ピッキング用具を入れられる部分になるが、後で曲げる事は難しい。面状のピッキング用具は入らない。
【０１５５】
鍵を回転させる場合、可動部分の回転軸と鍵の回転軸は同じでなくとも良い。可動部分に鍵を入れ、回転を含む移動をさせてから鍵口から錠に入れるが、錠に対する鍵の回転は可動部分の動きのみで決められる。鍵を斜めに入れたものを回転して、扉に垂直になる様に方向を変える事もできる。
【０１５６】
外部補助材と鍵，接続部の動きがこれ以外であっても、接続部と可動部分が交差する形状のスリットが必要になるので、その様なスリットを設ける。侵入者はこのスリットを通ってピッキング用具を用いなければならないので作業がやり難くなり、正確な情報が得られ難くなる。細いピッキング用具であっても棒状であれば極めて追従する事が難しくなる。同じ平面内で曲げなければならない場合，異なった平面内で曲げなければならない場合がある。
【０１５７】
それぞれの手段で用いる可動部分の外周の材料は金属製で良いが、密実にする為の材料は金属製でも良く、摩擦係数の大きな樹脂製，ゴム製であっても良い。外部障害物を取付け・取外す場合は、この部分の耐候性が悪いものであっても容易に交換できる。可動部分の外側と内部で、異なった材料を使用しても良い。
【０１５８】
外部補助材は公知の方法で製作される。例えば鋳造法を用いれば、鍵と外部補助材が造る面を空間内で動かした場合の、鍵と外部補助材が通過する空間を「中子」として、外部補助材外周を「鋳型」として、この中に金属を注入する。公知の樹脂の成型法を利用しても良い。
【０１５９】
外部補助材を鍵と一緒に持ち運ぶ場合、おおむね定期券の大きさであれば、カ−ド，名刺等の汎用品と同等の大きさになり、持ち運びし易い。例えば長方形の枠だけの形状に鍵を取付けた形状が例示される。辺の一部を波型にしても良い。
【０１６０】
外部補助材に取付けられる鍵は、引出される事，回転される事，外部補助材の一部を取外す事，折りたたまれたものを開く事で、錠の中に入る部分を外に出し、可動部分の中に入れる。折りたたんだ外部補助材の形状は、基本的には薄い直方体，円柱の形状が良い。
【０１６１】
持ち運ばない場合は、外部補助材を別に収納しておいても良く、扉の近傍に置いても良く、可動部分に挿し込んでおいても良い。好ましくはないが、複製されても扉を開けられる事にはならない。形状は、スリットが細くなるという意味で薄い方が良く、鍵が取付けられ、外部補助材と対応していれば形状に制限は無い。店舗のショ−ケ−スの如く１箇所で多くの錠を用い、一元管理される場合は共通の外部補助材を使用し、外部補助材と鍵を分けて収納しても良い。
【０１６２】
第１の手段で最も単純な手段は、可動部分として扉に垂直な長い箱型を用いる手段である。縦の面の片方が鍵の入口であり、これに向かい合う面が鍵の出口である。箱の内部が動き部分である。鍵の断面形状のスリットを造り、ここから鍵を出入りさせる。外部補助材の取付け部は保持部と同一面上に取付ける。手持ち部を持って鍵を可動部分に入れ、そのまま錠に縦に入れ、そのまま鍵口に挿し込まれる。可動部分を回して施錠・開錠を行う。この手段では、鍵の保持部の幅と厚さのスリットが鍵面まで達している。
【０１６３】
可動部分の側面を円筒等で囲み、箱型の側面に本来の鍵の動きと関係のないニセスリットを開けておけば、ピッキング用具の動きを邪魔する事ができる。
【０１６４】
鍵を直接回転させる事はなく、可動部分を回転させる時に鍵が一緒に回転するので、保持部の径の大きさの空洞は必要ない。スリットの幅は公知の方法と変わらないが、公知の方法は、鍵を回すので鍵の回転径の空洞が必要になるので、厚さは公知の方法よりも薄くできる。
【０１６５】
ここで説明した最も単純な方法の安全性を更に向上させるべく、可動部分に錠を入れてからいろいろな動きをさせる事，使用するものの形状を変える事，取付け方法と動かし方を検討して、大きな空洞をなくし、方向が変わる空洞を作る事，表面に出るスリットを極力狭いものにする等の、これまで述べてきた方法を組み合わせる。
【０１６６】
第２の手段は外部障害物のみを使用し、外部補助材は使用しない。外部障害物は固定部分と可動部分からなり、これを結びつける固定具を使用する。障害物の可動部分は中空の形状であり、側面の一部を切り取って外す，切取り部分にフタがついていればフタを開ける等で、解放状態にした部分が鍵の入口になる。ここから鍵を扉面に垂直に手で持って入れ、可動部分の中の空間である動き部分の中を動かして、扉に面する面のスリットに入れる。この部分が鍵の出口になる。この後、手で鍵を直接錠まで挿し込み、そのまま鍵口から錠に入れる。
【０１６７】
解放状態にした部分を側面の両側にまたがる様にすれば、指で鍵の保持部をつまんで中に入れられ、錠に挿し込める。可動部分を大きくすると、開放部分を大きくしても周辺に障害物が存在する状態になるので、一方向からの解放部分の存在だけで鍵の出し入れができる。鍵口の前面が閉じられており、この部分に障害物が存在する事が重要である。また、鍵の出口と鍵口で新たな障害物を構成する。鍵の出口は鍵の保持部が入るだけの大きさのスリットを有し、この中に鍵を入れると鍵の保持部が固定されるので、鍵だけを単独で回す事はできないが、可動部分を回せば鍵が一緒に周る。
【０１６８】
第３の手段も外部障害物のみを使用し、外部補助材は使用しない。外部障害物は固定部分と可動部分からなり、これを結びつける固定具を使用する。可動部分は二重構造体であり、外側の部分とこの中で動かされる板状の材料からなる。可動部分の外側の一部を切り取る，切取り部分にフタがついていればフタを開ける，引き出せれば引き出す等をして解放状態にした部分から板の部分を出し、鍵を扉面に垂直に手で持って入れ、板状の材料に固定する。この部分が鍵の入口になる。
【０１６９】
板状の材料が、縦方向，横方向に引き出されていれば元に戻し、板状の材料と鍵を一緒に可動部分の中である動き部分の中を動かして、扉に面する面のスリットに入れる。この部分が鍵の出口になる。この後、鍵を直接錠まで挿し込み、そのまま鍵口から錠に入れる。板状の材料を波型にしても良い。板自体に外部補助材の形状のものを接続しても良い。
【０１７０】
鍵の出口では、板状の材料に保持部の形状の凹みと保持部に開けられた紐穴に相当する凸部を設け、この中に保持部を入れると鍵が固定できる。可動部分をこの形状に切り取っておくと安定に固定ができる。この場合も鍵だけを回す事はできないが、可動部分を回せば鍵が一緒に周る。また、鍵の出口と鍵口で新たな障害物を構成する。
【０１７１】
第２，第３の手段の共通事項として次のものがある。鍵の入口は、可動部分の一部を、鍵が入る大きさだけをなるべく小さく開ける。上の面を開けるが、他の側面，前面は可能な限り残す。ただし回転するのでどこでも上の面になる。扉に相対する部分は鍵の出口とする。鍵の出口には力がかかるので、強度がある、例えば金属製の厚い材料で造る。大きさはおおむね鍵の保持部の半分程度であり、鍵の出口の中に保持部の紐穴程度までが入る。可動部分内部の空洞が鍵の動き部分になる。この為の形状は特に制限がなく、固定部分に接する部分は大きくして強固に扉に取付け、手で持って回す部分は手の大きさに合わせ、円柱，角柱の様な形状である。
【０１７２】
切り取った障害物を、蓋をする要領で元の位置に取付けると、意匠性が良くなり、鍵を押さえる事ができ、可動部分を回し易くなる。鍵に紐をつけておき、鍵の取り出し時に紐で引き出す様にすると、鍵の保持部のほとんどが障害物の鍵の出口に相当する部分の中に入る状態にしても鍵を取り出す事ができる。
【０１７３】
第４の手段も外部障害物のみを使用し、外部補助材は使用しない。外部障害物は固定部分と可動部分からなり、これを結びつける新設の錠を使用する。固定部分を鍵口の前に取付け、可動部分に錠を取付けて開閉される部分とする。新たな錠が固定具に相当する。固定部分と可動部分は回転する必要は無い。本来は錠が取付けられる場所が無い場合であっても、新たに取付けられた固定部分を使用して錠の取付けができる。この錠は、公知のものを用いるが、数値式のグレモン錠が例示される。
【０１７４】
数値式の錠の場合、本来の機構と関係ないものを取付け、余分な音・振動を出して部材からの情報をわかり難くする事ができる。例えば歯車とバネの組み合わせであって、自転車の警報機の如くのものであり、開閉に関係ない部分に取付ける。侵入者が錠を回す時に、本来の機構の音と関係ない音を発せさせる。正規の使用者にとっては全く意味がない事であるが、侵入者の邪魔をする事ができる。
【０１７５】
第３の方法は、障害物を始めから錠に取付けて一体成型品とする。即ち鍵口の前に始めから障害物を設置しておき、一体構造体にする。錠は従来からのものであっても良く、ここで説明した新規のものであっても良い。鍵の錠への入れ方は第２の方法で説明した方法を用い、鍵の入口から入れ、可動部分の中で動かして鍵の出口から出し、錠に入れる。使用する時は鍵は持たずに可動部分を持って回す。
【０１７６】
新規な錠で鍵口の前に障害物を取付けて一体物にする場合、鍵自体を短くすれば障害物の高さが低くでき、空洞が短くなるのでピッキングはやり難くなる。第２の方法の様に外部補助材を用いても良いが、新規の錠の為の鍵を始めから外部障害物と一体にしても良い。第２の方法でも錠自体を短くする為に保持部を短くしても良い。
【０１７７】
以上は次のようにまとめられる。請求項１の開口部からの侵入を防止する方法，その為の材料であって、複数の対策を同時に行う事を特色とする侵入防止方法，侵入防止用材料とは、本発明全体を意味するものであり、錠，鍵のみではなく、枠の隙間，枠の補強，ガ−ドプレ−ト，ドアチェ−ンも含めて侵入者に対処する。請求項２の錠であって、内部の施錠・開錠する為に動かされる部分が存在する空間内で、施錠・開錠する為に動かされる部分と鍵を出し入れする為の空間を除いた空間を、障害物で充填する事を特色とした錠とは、第１の方法の第４の手段で説明される。
【０１７８】
請求項３の錠であって、錠に鍵を出し入れするスリットと、内部の施錠・開錠する為に動かされる部分への鍵の挿入スリットと、新たに取付けられた障害物があればこれのスリットのうちの少なくとも２つが同一平面上には存在しない事を特色とした錠とは、第１の方法の第１の手段で説明される。請求項４の内部に障害物を持つ錠であって、その障害物の形状は、直線または曲線を、軸の周りで回転させて得られる面或いは立体であって、必要に応じて障害物の中央に穴が開けられており、鍵の差込み方向の断面形状のスリットを有する事を特色とした錠とは、第１の方法の第２，３の手段で説明されるものであって障害物の形状に関するものである。
【０１７９】
請求項５の内部に障害物を持つ錠であって、錠の開閉を行うにあたって、障害物の周囲を鍵が回される事を特色とする錠とは、第１の方法の第２，３の手段で説明されるものであって、鍵の動きに関するものである。請求項６の錠の奥の部分に存在する障害物であって、施錠・開錠する為に動かされる部分の後に存在することを特色とする障害物とは、第１の方法の第５の手段で説明されるものであって、第１，２，３，４の手段にも応用されるものである。
【０１８０】
請求項７の従来の錠に外部から取付けられる障害物であって、一部が鍵の入口部の周辺に固定されており、一部が回転可能であって、錠の開閉を行うにあたって、回転可能な障害物と鍵を一緒に回す事を特色とする障害物とは、第２の方法の第１，２，３の手段で説明されるものであって障害物の形状に関するものである。請求項８の従来の錠に外部から取付けられた障害物であって、障害物の一部が鍵の回転面の内側或いは延長線上に存在し、障害物の表面に鍵を出し入れする為の切れ込みと、鍵を動かす為のスリットと、或いは鍵を出し入れする部分を有するものであり、錠の開閉を行うにあたって、回転可能な障害物と鍵を一緒に回す事を特色とする障害物とは、第２の方法の第２，３の手段で説明されるものである。
【０１８１】
請求項９の錠に外部から取付けられる障害物であって、鍵の入口部分に固定された部分に新たな錠を取付ける事を特色とした障害物とは、第２の方法の第４の手段で説明されるものである。請求項１０の錠の前面に鍵を入れる為の空間を有し、その一部が鍵の入口部の前に固定されており、一部が回転可能であって、挿し込んだ鍵と共に、回転できる部分を一緒に回して施錠・開錠をする事を特色とする錠とは、第３の方法で説明されるものである。請求項１１の錠または錠に取付けられた障害物であって、施錠・開錠に直接の関係がないものを取付ける事を特色とする鍵または錠に取付けられた障害物とは、第１，２の方法で説明されるものである。
【０１８２】
開き窓，開き戸と枠の空間については次のものがあり、それぞれに対処する。元々存在するが後で埋めたい空間には枠の内部の空間があり、施工でできてしまい、本来は埋めなければならない空間には施工誤差による隙間があり、施工の為に必要であるが後で埋めたい空間には引き違い戸・窓の上の隙間があり、残さなければならない空間には扉を開閉する為の空間で、対角線と直線の差による空間，引き違い戸の上の空間、ドアチェ−ンの取外す部分，箱受の内部がある。
【０１８３】
引き違い戸・窓を枠にはめ込む為の枠の上の隙間は、施工する為に必要であるが施工後は無い方が良い隙間であり、引き違い戸・窓を枠に入れた後であれば隙間が確定し、戸・窓と枠の間に棒状の充填物を挿入する事で隙間を減らせる。この隙間は戸・窓をはめる為に必要であり、はめてから隙間が確定し、はめた後は必要無いので、戸・窓を動かす為のわずかな隙間を残して、充填物を入れて隙間を減らす。
【０１８４】
施工は室内側から行う。ガラスの破損等で取外す場合は、室内側から取外せば容易に対処できる。充填物は金属，樹脂，木質等の公知の棒状の材料であって良く、取付け方法はビス止め，接着剤止め当の公知の方法で良い。単純な方法であるが実行する事が重要であり、実行すればその分の効果が得られる。両面テ−プ等で仮止めしておき、位置を調整した後に強固に・正式に取付ける。
【０１８５】
本発明によって取付けられた充填物に錠を取付ける事ができる。錠は公知のもので良い。これによって、ワンタッチで安全に全閉・半開・全開の状態ができる。例えば一般的な両開き扉であって錠が付いていない扉に用いられるフランス落し，丸落しを窓枠に取付け、受ツボを本発明によって取付けられた充填物に取付ける。通常用いられているクレセント錠は、窓の中間に設置されるので三角割りの標的になるが、本発明の方法では極端な上・下に取付けられ、ワンタッチ開閉ができるので標的にはなり難い。
【０１８６】
戸，窓を入れた枠がこじ開けられる事を防ぐ為には、こじられても変形しないだけの強度を有させる。枠の内側で箱受，受座等の周辺を樹脂，セメント製品等の未成型品であって施工後に硬化するもの，金属等の成型体で充填し、空間を少なくする。それまでは曲げ強度，挫屈強度でこじ開けに対抗していたのに対して、充填材の圧縮力，枠の引張り力を利用できるので抵抗力が大きくなる。充填するものは折れても良いが、体積が大きく減少するものであってはならない。
【０１８７】
錠がかけられる部分の枠自体の補強は、扉だけでなく、引き違い戸・窓，両開き窓，片開き窓の枠でも利用できる。また、扉，戸，窓自体を補強する事にも利用できる。施工した後に重くなるのであれば、施工性が悪化する事はなく、使用時は平行移動させるだけであるので重さはそれほど気にならない。ガラスの防犯フィルムは裏表の両側に貼ったほうが良い。
【０１８８】
ガ−ドプレ−トについては、扉（錠のフロントプレ−ト）とドア枠の隙間は、施工後も開閉の為に必要であるが、施工時に必要以上の隙間が残ると問題になる。扉を取付けた後に、確定した隙間に対してガ−ドプレ−トを取付ける。ガ−ドプレ−トを扉の正面につけて、この隙間をカバ−する。ガ−ドプレ−トは、おおむね扉の上から下までの全長にわたる長さを準備する。幅は、枠の幅と扉に固定する部分の幅と隙間の広さの３つの合計よりも広くする。この為におおむね扉の長さであって、扉の幅の数倍の幅のものを準備しておけば良い。厚さは取付け作業と意匠に問題が無ければ厚い方が良い。
【０１８９】
扉の前面に取付けるので隙間の程度に関係なく、同じ厚さの材料が取付けられるので、準備するものは一種類の厚さのもので良い。形状は平面状の板、或いはＬ字型構造材によるＬ字型の板（突起部を前に出す）であれば、板の位置を調整するだけで確実な施工ができる。ガ−ドプレ−トは一枚ものであっても良く、短いものを継ぎ足しても良い。取付けは両面テ−プ等で仮止めしておき、位置を調整した後に強固に・正式に取付ける。
【０１９０】
扉にガ−ドプレ−トの片側に位置させ、他の片側は片開き扉であれば枠のほとんどの面に、両開き扉であれば他の扉に同じ程度の面積で重ねる。扉側の重なりは理屈上では多くできるが、ある程度の幅があれば、意匠で大きさを判断して良い。高さに差があり、取付ける方が低い場合は、扉にスペ−サ−をつけて高さを調整する。錠に関連する部分が表面に出ていればその部分を切り取る。厚さは理屈上では多くできるが意匠で判断して良い。
【０１９１】
ガ−ドプレ−トはビス，接着剤などで固定されるが、ビスの頭をつぶす，埋める等の処置をすれば外から外される事はない。また、確実に取付ける為に溶接をしても良い。枠の全長にわたって設置すれば、防犯上だけでなく、意匠上，隙間風防止の意味からも良い。意匠性の向上の為に、弱いものでも良いから他のものを貼り付けても良く、強度は期待できないが意匠性の向上，取付けたビス等の位置をわからなくする効果がある。
【０１９２】
ガ−ドプレ−トは、改修，修理の時に後から取付けるが、新築時（新設時），ドア交換時では、始めからガ−ドプレ−ト相当分を準備しておき、現場合わせで隙間が小さくなる様に取付ける。扉を出荷する際に、脱着可能なテ−プ等でガ−ドプレ−トを張付けておけば確実に供給できる。
【０１９３】
施工する意味を持たせる為に、ガ−ドプレ−トの内側に断熱性，吸音性，防風性，防水性を有する有機発泡体等の材料を取付ける事ができる。この場合、枠，扉の正面とガ−ドプレ−ト裏面との隙間は、取付けられる材料の厚みの分を調整する。これはガ−ドプレ−トが上から下までに通ずる長さである場合に有効である。この場合、施工すれば直ちに効果が出る。
【０１９４】
使用材料は硬い金属では鉄，鉄合金，鋼，ステンレス，真鍮、柔らかい金属ではアルミニウム，アルミ合金等、その他の材料ではプラスチック，木材等が用いられる。硬い金属は目的の大きさに工場でプレカットしても良く、現場で切断しても良い。柔らかい金属，その他の材料は、現場で容易に，精度良く切断でき、取付けられる。
【０１９５】
ドアチェ−ンは、扉に取付けられる補助具の端部で、挿入部が入れられる部分が解放された形状であり、その部分には補助具のみが存在し、動きを規制するもの，狭くするものは何も存在しない。補助具は中空角柱，中空円筒の形状であり、側面に挿入部が取付けられたチェ−ンの為のスリットを有し、挿入部が入れられる部分はスリットが広く切られている。或いは端部が開放されている。外側を補強しても良いが、内側で補強してはならない。端面の他の片方は塞がれており、チェ−ン固定部の近くに、扉に強固に取付けられる。解放された部分は補助具を斜めに切断する事，他のものを取付けて端部を広げる事，切れ込みを広くする事で使い易くなる。
【０１９６】
この部分は前記の端面の上に取付けられ、補助具を取付けた形状は垂直になる。上から，横から挿入部を入れる様に解放された部分の向きを使い易い様に調整する。扉の右開き，左開きによる差も考慮する。挿入部は抵抗が少なく溝内を動くという意味で、球形が好ましく、球形でなくとも凹凸が無い形状が望ましい。
【０１９７】
補助具の扉への取付け位置は鎖の長さを考慮して注意深く取付ける。枠へのチェ−ンの取付け部からチェ−ンの長さで円を描いた場合に、補助具の先端がわずかに内側にある様な位置に取付ける。両面テ−プ等で仮止めしておき、位置を調整した後に強固に・正式に取付ける。施工誤差を考慮して、補助具に取付けられる伸び縮みできる第二の補助具を用いて、第二の補助具の先端が、円のわずかに内側なる様に調整する事もできる。
【０１９８】
挿入部が動かない様にする為の抵抗を考えた。動きの抵抗を大きくするものは、磁石と磁性材料，マジックテ−プ，粘着材等の付着するものを用いる方法と、紙，金属箔，プラスチックフィルム等の薄く、変形し易いものを詰める方法がある。付着するものは補助材，挿入部，チェ−ン先端部のいずれかに片方を取付け、対応する部分に他の片方を用いる。変形し易いものは溝の中に詰める。扉を開かなければ、挿入部は補助材に挿入された位置に留まり、容易に取外す事ができる。扉を開けると挿入部は補助材の強固の取付けられた部分に移動し、本来のドアチェ−ンの役割を果たす。確率的には１００％近く使用されないので使用されないときの使い易さを考えるべきである。
【０１９９】
以上は次のようにまとめられる。請求項１２の枠と、引き違い戸，引き違い窓の隙間が、施工後に埋められる事を特色とする枠と戸，窓を隙間を埋める用具及びその施工方法とは、ここで説明した枠と戸，窓の隙間を埋めるものである。請求項１３の扉，戸，窓を取付ける枠であって、枠の内部の空間が埋められる事を特色とする枠及びその施工方法とは、ここで説明した枠の内部を埋めるものである。
【０２００】
請求項１４のガ−ドプレ−トであって、扉の前面に取付けられ、好ましくは、取付けられる部分の上から下までをカバ−する長さである事を特色とするガ−ドプレ−ト及びその施工方法とは、ここで説明したガ−ドプレ−トに関するものである。請求項１５のドアチェ−ンの補助具であって、チェ−ンの先端を入れる為に扉に取付けられるものであり、チェ−ンが入れられる部分の周辺が狭められておらず、前面に何も存在しない形状であって、好ましくは、長さを調整できる事，動きの抵抗を与えるものを併用する事を特色とするドアチェ−ンの補助具とは、ここで説明したドアチェ−ン及び補助具等に関するものである。
【発明の効果】
【０２０１】
本発明では錠への対策と扉周辺の強化を併せて検討したので、開口部全体の弱点への対策ができる。材料と動かし方と施工の３点に着目し、使い易く、確実に施工できるものを提案した。本発明は５点の説明をしたが、公知のその他の方法，説明しなかったサムタ−ンへの対策品，カム送りの対策品を併用しても良い。また、ガラスの補強をしても良い。侵入者は、一つの原理だけを考えても扉を開ける事はできない。正規の使用者は始めから使い方，動かし方がわかっているのに対して侵入者にはこれがわからない。
【０２０２】
錠については、障害物を取付け、利用すると共に、公知のピン方式，レバ−方式等の開閉方式を使用する２つの原理を組み合わせた。錠の内部を大きくして部材を設置し、余った空間を障害物で埋める。この為に部材の取付けに自由度が大きくなるが、ピッキング用具が動かせる余分な空間はできない。正規に使用する人は使い方によるソフトウエア面での制限を受けるが、ハ−ドウエアの制限は受けない。侵入者にとって障害物は鍵を入れるハ−ドウエアの制限と、鍵を動かすソフトウエア面での制限の２種類の制限をするので、ピッキング用具を使い難くする効果がある。
【０２０３】
本発明の新規の錠を正規に使用する場合は、次の効果がある。第１の方法での第１の手段では、正規の鍵は、錠の中の障害物の間隔に合わせた鍵面を有し、錠と鍵の対応ができているので、錠の中に入れて動かす事が複数回でもでき、錠の構造によっては回転させる事もできるので、部材の位置に達し、施錠・開錠ができる。障害物と部材の関係，ニセスリット，ニセピンの存在は正規の使用には関係無い。正規の使用者は、正規の鍵を持っており、本人が動かし方をあらかじめわかっているので、錠を開閉できる。合致しない鍵はこれができない。本発明で操作性が改善されるわけではないが、普通に使用できる。
【０２０４】
第２，３の手段では、正規の鍵は、錠の中の障害物の形状に合わせたスリットを有し、錠は鍵に合わせた形状に設定できているので、錠の中に入れて動かし、回転できるので施錠・開錠ができる。
【０２０５】
第４の手段では、内筒の中の障害物は鍵を入れる為の最低限の空間しか持たないので、ピッキング用具を自由に動かす事はできない。この障害物は内筒の中央付近まで存在するので、これに新たなピンを取付けることができ、通常のピンと同じ働きをする。
【０２０６】
第５の手段では、錠底であって、部材の奥側に障害物を存在させるので、正規の使用には何ら関係無いが、ピッキング用具を短絡して入れる事はできなくなる。この方法は第１、２，３，４の手段にも利用でき、障害物の最奥側が部材よりも奥に存在すれば良い。この部分が内筒と少ない隙間を有するか、密閉されており、隙間がなければピッキング用具を入れる事はできない。
【０２０７】
ニセスリット，ニセピンは鍵が入る位置を避けているので、通常の開閉には問題なく、ピッキングの動きには邪魔になる。また、本人が動かし方をあらかじめわかっているので問題ない。錠底部分には鍵を入れる必要がないので、何も入れられない形状にした。ピッキング用具も入れられなくなる。
【０２０８】
侵入者は正規の鍵を持っておらず、ピッキング用具を用いる場合であっても、入れ難い，回し難い，届かない，動かし方がわからない，途中で動かなくなる等が原因で錠を解放できない。或いは解放できても時間がかかる。またピッキング用具を動かす時に不要な雑音が入り、欲しい情報が得難くなる。錠底部分にはピッキング用具が入れられない。
【０２０９】
第２の方法では、鍵口の前に外部障害物をつける。外部障害物が目立てば目立つほど、侵入者が下見に来た場合に、対策済みである事をわからせ、やる気を失わせる事ができる。挑戦する前にあきらめさせれば最も効果が大きい。
【０２１０】
第１の手段で正規に使用する場合、外部障害物が存在するので、正規の使用者は狭いスリットを通過させて、鍵を入れなければならないが、専用の外部補助材を使用するので、出し入れできる。鍵は適切な大きさと形状を持った外部補助材と共に用いるので障害物を越えて出し入れができ、可動部分を持って回すと、鍵が一緒に回されるので、鍵の保持部に直接触れなくても施錠・開錠ができる。鍵と障害物の距離は近い方が良く、回転軸の中に入っていても操作できる。動きが複雑であっても、本人が動かし方をあらかじめわかっているので問題ない。
【０２１１】
外部補助材を直接回さないので外部補助材に薄い材料が使用でき、スリットは狭く・細くできる。また、細くした方が、ピッキングの邪魔をする効果が大きくなる。更に外部障害物を取付ける事で目立たせる効果が期待できる。また、不必要な音，振動を与え、ピッキング用具と障害物の接触で、侵入者が欲しい情報が得られにくくなる。ニセスリットを用いると作業の邪魔ができる。
【０２１２】
第２の手段は、可動部分の一部を開いた狭い部分から鍵を入れなければならないが、鍵を挿入する事ができる。施錠・開錠では、障害物を鍵と一緒に回すので、錠の中に鍵を入れさえすれば、障害物が鍵を正規に回す為の障害にはならない。
【０２１３】
第３の手段は、２重の可動部分の一部を開く，引き出す等をしてから鍵をセットするので障害物で鍵を覆う事ができる。この方法も錠の中に鍵を入れさえすれば、障害物が鍵を正規に回す為の障害にはならない。
【０２１４】
第４の手段は、本来は取付けられない場所にも新たな錠を取付ける事ができる。また、雑音，振動を発生して情報を取り難くできる。
【０２１５】
第２の方法で、侵入者は正規の鍵を持っておらず、ピッキング用具を用いる場合であっても、入れ難い，回し難い，届かない，動かし方がわからない，ピッキング用具を狭いスリットを通過させなければ目的の錠面に届かない，途中で動かなくなる等で錠を解放できない。或いは解放できても時間がかかる。
【０２１６】
既存の錠を不正に開ける場合、障害物，スリット，空洞が、ピッキング用具を動かせる面を限定し、この面から外れる部分には動かし難くなるので、ピッキング操作がやり難くなる。角度を持って曲がったスリット，狭いスリットの中で曲げる事は更に難しい。障害物と鍵口の位置が近すぎる為に動きの自由度が少なくなる。第２，３の手段では鍵口のすぐ前に障害物が存在する事になり、ピッキング用具の操作が難しい。ピッキング用具と障害物の横方向の距離が近すぎる事でも作業性が悪化する。ニセスリットはピッキングの動きには邪魔になる。
【０２１７】
そのほかに次の共通の効果がある。障害物にピッキング用具が接触してしまい、微妙な感触がわかり難い。内部を空洞にした場合、余分な信号，アラ−ム，音，振動で、ピッキング行為を邪魔する事もできる。ピッキング用具を取り扱う場合、錠面の近くに手を置いて操作する事はできない。また、ピッキング用具の先端に近い部分を持つ事はできない。精密作業を行う場合は、できるだけ近くを持って近くで作業したほうが良いが、この条件が満足させられなくなる。また、取付けたものが目立てば目立つほど、侵入者が下見に来た場合に、対策済みである事をわからせ、やる気を失わせる事ができる。挑戦する前にあきらめさせれば最も効果が大きい。
【０２１８】
第３の方法は第１の方法と第２の方法を組み合わせであり、一体成型品であるので一つを取付ければ良い。公知の錠に組み合わせれば第２の方法の効果があり、第１の方法に組み合わせればこれと同様の効果が追加される。
【０２１９】
引き違い戸・窓について、戸・窓を枠に入れた後に、戸と枠の間に充填物を挿入する事で、既に確定した隙間に対して、確実に施工ができる事、隙間が減らせる事、外され難くする事ができるので確実な施工ができる。錠を取付けると全閉・半開がワンタッチでセットできる。防犯フィルムを張る場合、は１枚よりは２枚の方が安全である。
【０２２０】
枠の隙間の充填には、こじっても体積が減少しないものを充填するので、枠がこじ開けられる事を防ぐ事ができる。枠内の箱受以外の部分を樹脂材料，セメント材料，金属材料等の充填材で埋める。これまでは材料の曲げ強度，挫屈強度でこじ開け力に対抗していたが、これに変えて圧縮強度，引張り強度で対抗する。充填材は力が加わった時に折れて変形しても良いが、大きな体積の減少が無ければ良い。プレストレスコンクリ−トの原理と同じく、ドア枠等の金属材料の引張り強度が利用できる。
【０２２１】
ガ−ドプレ−トは、扉を取付けた後であれば、隙間が確定しているので、ガ−ドプレ−トを隙間が無い様に取付ける事ができる。扉の取付け作業の一部にガ−ドプレ−ト取付け作業を入れ、確実な施工機会をつくり、搬入時に扉にガ−ドプレ−トを接着しておけば、確実に供給できる。正面方向から取付けるので隙間の程度に関係無く、一種類の厚さのもので取付けできるので、準備する側も一種類を準備すれば良い。施工する側は、平面状の板或いはＬ字型の板を扉の正面に取付けるので、確実な施工ができる。短いものを継ぎ足す場合は、施工し易く、壁面が直線でなくても確実に施工できる。
【０２２２】
施工されてものは、ドア枠の半分以上が覆われており、長さ方向は扉の上から下までほとんどの長さを覆われているので、こじ開け作業はやり難い。錠の近くをこじられる事がなくなり、長い距離をこじらなければ開けられない。長ければ長いほど時間をかけさせられる点，作業を他人に見られる機会が多くなる点で、作業をやり難くする効果が大きくなる。また、ガ−ドプレ−ト自体が目立てば目立つほど、侵入者が下見に来た場合に、対策済みである事をわからせ、やる気を失わせる事ができる。挑戦する前にあきらめさせれば最も効果が大きい。
【０２２３】
ガ−ドプレ−トの内側に有機発泡体等の材料を取付けると、安全性向上以外の効果が得られる点と、取付ければすぐに効果が出るので、取付ける意味があるという点で重要である。外側に弱い材料を取付ける事は、意匠性の向上と、使用したビス等の位置をわかり難くする効果がある。
【０２２４】
ドアチェ−ンの補助具の取付けは、枠に取付けられたチェ−ン端部と補助具の端面の距離がチェ−ン長さよりもわずかに短くなる様に注意して取付けるので、室外からチェ−ンを外される機会がない。また、取付け誤差が出ても、第二の補助具を用いて調整できる。
【０２２５】
補助具の端面の片方の空洞及び溝は塞がれており、ドア枠のチェ−ン固定部の近くであって、扉に強固に取付けられる為に、無理やり進入しようとする力に対抗できる。端面の他の片方は空洞及び溝が大きく解放された形状であり、空洞の前，周辺に動きを制限するものは何も存在しないので、チェ−ンがついた挿入部を空洞に出し入れする事は容易にできる。
【０２２６】
抵抗を大きくしてからチェ−ンを補助具にセットする場合は、空洞のところに挿入部を置くので、使われなければそのまま取外せば解除できる。使われた場合は挿入部が端面の溝が塞がれた部分に移動しているので、挿入部を空洞位置まで動かしてから取外す。前に何も無いので取外し易い。
【０２２７】
多くの事項を述べたが、当初述べた様に、鍵を持っている人と、侵入者の利害は対立している。本発明は技術力のある侵入者に対しては「時間がかかる」程度の効果しかないかもしれない。技術力のない侵入者に対しては「あきらめさせる」効果が期待できる。また、全体を考慮して弱点をつくらない事，目立ち易くした事に大きな意味がある。これまでは住宅の錠としての説明をしてきたが、住宅以外には、乗用車，金庫，自動販売機，現金自動支払機などの、錠を用いているものを盗難から守る事にも応用する。
【発明を実施するための最良の形態】
【０２２８】
以下に実施例を示す。
【実施例１】
【０２２９】
扉の長さであって扉の厚さの2倍の幅の球平形鋼の平板をガ−ドプレ−トとして用いた。ドア枠が付けられている壁に沿う様にして平板を両面テ−プでセットし、位置を調整した後にビスで扉に取付けた。ドア枠のほとんど全てを覆い、隙間をすべて覆い尽し、扉の厚さよりも多くが扉に重なる様に施工ができた。バ−ルが入る余地はなかった。こじ開け試験は行っていないが、容易にはこじ開けられない事が予想された。意匠的には一本の線が上から下まで通った印象を受け、不自然な感じは無かった。
【実施例２】
【０２３０】
ドア枠と箱受の間を充填する事についての確認を行った。公称400Kg/cm2の圧縮強度のセメント系グラウト材をドア枠に注入し、計算必要量が注入された。１ヶ月後に隙間無く密実に充填されている事，十分に強度が出ている事を確認した。こじ開ける為の破壊試験は行っていないが、十分に耐えられる事が予想された。
【実施例３】
【０２３１】
長さ350ｍｍのチェ−ンの端部をドア枠に取付け、他の端部に直径20ｍｍの金属ボ−ルを取付けた。補助材として、長さ300ｍｍ，内径25ｍｍの透明樹脂管を用い、軸方向に幅10ｍｍのスリットを入れた。片端を塞ぎ、扉側に取付けられる部分とした。他の端を斜めに切断し、端面付近のスリットを広くし、前面に何も取付けず、塞がないで、チェ−ンが脱着される部分とした。何も取付けない面が、チェ−ンの枠への取つけ位置からチェ−ンの長さで円を描いた時のわずかに内側にある位置になる様にして、透明樹脂管を扉に取付けた。扉に取付けられた閉塞部分が、ドア枠に取付けた部分と同程度の高さに位置した。
【０２３２】
何も取付けない部分の溝から金属ボ−ルを入れると、容易に入れられ、塞がれた部分まで自重で移動した。透明樹脂管に、ティッシュペ−パ−を溝の上から１／６付近に軽く詰め、この後に金属ボ−ルを入れると、金属ボ−ルはティッシュペ−パ−の位置に留まった。扉を開けるとティッシュペ−パ−と金属ボ−ルが塞がれた部分まで移動した。金属ボ−ルをスリットから抜く場合、室内側からであれば易に抜ける事，ドアを半開きにした状態で室外側からでは抜く事ができない事を確認した。
【実施例４】
【０２３３】
次の材料を使用し、本発明の錠の中の障害物の効果を確認した。なお、本発明は錠の部材，デッドボルト等の動きに着目したものではないので、不正開錠のし難さの確認を目的とした。錠の内筒に相当するものとして、外径60ｍｍ，内径50ｍｍ、長さ65ｍｍの透明樹脂筒を用いた。これに、直径50ｍｍ、厚さ5ｍｍの透明樹脂円盤であって、長さ21ｍｍ，幅6ｍｍのスリットを入れたもの３枚を用い、両端と中心部に取付けた。両端のスリットは同じ向きとし、中央のスリットは１８０度ずらした。扉に相当するものとして、直径150ｍｍ、厚さ10ｍｍの透明樹脂円盤であって、中央に直径60ｍｍの穴を開けたものを用いた。鍵に相当するものでは、鍵軸として、長さ80ｍｍ，幅5ｍｍ，厚さ5ｍｍの樹脂棒用い、鍵面，保持部としてそれぞれに、高さ15ｍｍ，軸方向の長さ20ｍｍ，厚さ5ｍｍの樹脂板を鍵軸の両端につけた。
【０２３４】
外側の透明樹脂円盤のスリットから、鍵に相当するものを中に入れたところ、容易に中に入り、中で回転させる事ができた。回転させた後に中央の透明樹脂円盤から更に中に入れ、更に回転させて底面側のスリットから鍵に相当するものを出す事ができた。鍵軸に相当する部分を80ｍｍであったものを120ｍｍに変更すると、鍵に相当するものを扉に相当するもののから外に出す事もでき、その後に回転させる事もできた。
【０２３５】
侵入する事を想定して、針金を用いて動かし方の確認を行った。可動部分のスリットから入れた針金は短い距離であればどこにでも達する。表面と内部の２本のスリットを通す場合、２つのスリットが構成する面から外れた位置に動かす事は難しい。３本のスリットを通す場合は、針金は強制的に中心に向かわされ、円周には到達できない。これにより、目的とする動きがやり難い事を確認した。仮にピッキング操作ができたとしても時間がかかる事が想定される。
【実施例５】
【０２３６】
次の材料を使用し、本発明の新規の錠の効果を確認した。なお、本発明は錠の部材，デッドボルトの動きに着目したものではないので、不正開錠のし難さの確認を目的とした。錠の内筒に相当するものとして、外径60ｍｍ，内径50ｍｍ、長さ100ｍｍの透明樹脂筒を用いた。部材が鍵の入口から20％，50％，80％の位置にあるものと想定した。錠底に相当するものとして、直径60ｍｍ、厚さ10ｍｍの透明樹脂円盤であって、中央に直径3ｍｍ、長さ120ｍｍの鍵を入れる為の案内棒を取付けた。案内棒が透明樹脂筒の中に入る様にして透明樹脂筒に取付けた。錠面に相当するものとして、直径60ｍｍ、厚さ10ｍｍの透明樹脂円盤であって、中心に鍵穴の意味で、直径20ｍｍの穴を開け、鍵の出し入れの為に中心から外周に向かって、幅6ｍｍのスリットを設けた。
【０２３７】
障害物に相当するものとして、外径40ｍｍ，内径10ｍｍ，高さ30ｍｍの円筒状のものを錠底に取付け、錠面側には下面径40ｍｍ，上面径10ｍｍ，高さ40ｍｍの円錐台の形状のものを用い、内径10ｍｍの穴をあけ、側面に幅6ｍｍのスリットを入れたものを錠面に、スリットの方向が同じになり、下面が内側になる様に取付けた。
この状態で案内棒は、透明樹脂筒に挿し込まれており、先端は外に出ている。
【０２３８】
鍵に相当するものとして、鍵軸となる円筒と鍵面となる板と保持部となる板を組み合わせたものを使用した。円筒は外径9ｍｍ，内径4ｍｍ，長さ150ｍｍのものを用い、これに鍵面として幅20ｍｍ，厚さ5ｍｍ，長さ98ｍｍの板を先端部に取付け、鍵軸と鍵面の接触部の先端側を高さ17ｍｍ，長さ31ｍｍの長方形（障害物の投影形状）に切り取った。また、鍵軸と鍵面の接触部の手元側を、高さ40ｍｍ，辺の長さ17ｍｍの直角三角形の形状で高さ部分が鍵軸に沿うように切り取った。保持部として手元先端側に幅20ｍｍ，厚さ5ｍｍ，長さ25ｍｍの板を、鍵面と同じ方向に取付けた。
【０２３９】
正常な操作の確認を行った。鍵の回転軸となる円筒を案内棒に入る様にして入れ、スリットから部材に接触する部分を透明樹脂筒に入れ、回したところ、障害物の切れ込みを通過して容易に出し入れでき、鍵を錠の中でまわせる事を確認した。このときの状況は次の通りであった。
１：部材に接触する部分は、円筒の内側，障害物の側面に接して回転する。
２：案内棒，中空円筒，障害物が、鍵を回すときの案内の役目をし、これに沿って鍵が回転する。
【０２４０】
正常でない操作の確認を行った。ピッキング用具に相当する針金を入れて動かしたところ次の事を確認した。
１：針金を中央から入れる場合、自然に中央に誘導され、内壁には届き難い。
２：針金をスリットから入れる場合、内壁に届くが、斜めの角度で届いてしまい、針金を垂直に部材に当てる事は難しい。また、力を入れるとすぐに曲がってしまう。
３：筒の内壁に、針金を垂直に届かせるには、針金を曲げなければならない。内壁面に向かって垂直に力を加える事は難しい。力をかけようとすると針金が更に曲がり、力はかからない。実施例では透明材料を用いているのでこれができたが、この部分が見えなければ更に難しいと考えられる。
４：80％点にはスリットと同じ面であって、斜めに届かせるのであれば、針金が届く。力を加えようとすると針金がすべってしまい、力を加える事はできない。スリットと異なった面であれば届かす事ができない。
５：50％点にはスリットと同じ面でなくても届く。力を加えようとすると針金が曲がってしまい力を加える事はできない。
６：20％点にはスリットと同じ面であっても届かす事ができない。針金は入れる事はできるが、曲げて戻す事はできない
これより針金を目的の場所に誘導し、作業を行う事は難しい事を確認した。発明者はピッキングの専門家ではないので、更に良い方法があって、この説明での「届かない」，「できない」と言う表現が適切ではないかもしれないが、少なくとも複雑な動きが要求でき、時間をかけさせられる事は間違いないと思われる。
【実施例６】
【０２４１】
次のものを用いて本発明の従来の錠に取付けられる障害物の効果を確認した。この実施例では鍵を錠に入れられる事，鍵を回せる事を確認する。外部障害物で固定部分に相当するものとして、外径75ｍｍ，内径70ｍｍ、長さ11ｍｍの透明樹脂筒を用いた。これに、直径70ｍｍ、厚さ5ｍｍの透明樹脂円盤であって、中央に直径61ｍｍの穴を開けたものを取付けた。可動部分に相当するものとして、外径60ｍｍ，内径50ｍｍ、長さ32ｍｍの透明樹脂筒を用いた。これに、直径69ｍｍ、厚さ5ｍｍの透明樹脂円盤であって、中央に直径60ｍｍの穴を開けたものを取付けた。２枚の円盤が筒の中で向かい合う様にして組み合わせた。透明樹脂筒には、透明樹脂円盤の位置とその反対側のそれぞれに、直径50ｍｍ、厚さ5ｍｍの透明樹脂円盤であって、中心から直径方向に幅6ｍｍ、長さ21ｍｍのスリットを入れたものを取付けた。各々のスリットは１８０度ずらした。扉に相当するものとして、直径150ｍｍ、厚さ10ｍｍの透明樹脂円盤であって、中央に長さ21ｍｍ，幅6ｍｍのスリットを入れたものを用いた。本来はここに従来の錠が取付けられている。これの中央に２種の円盤，円筒を組み合わせたものを取付けた。鍵に相当するものでは、鍵軸として、長さ80ｍｍ，幅5ｍｍ，厚さ5ｍｍの樹脂棒用い、鍵面，保持部としてそれぞれに、長さ15ｍｍ，幅20ｍｍ，厚さ5ｍｍの樹脂板を鍵軸の両端につけた。
【０２４２】
可動部分につけられた外側の透明樹脂円盤のスリットから、鍵に相当するものを中に入れたところ、容易に中に入り、中で回転させる事ができる。１８０度回転させた後に内側の透明樹脂円盤のスリットから鍵に相当するものを中に入れる事ができた。この状態で透明樹脂筒を回転する事ができた。扉に相当するもののスリットと鍵面を合わせると、鍵に相当するものは扉に相当するもののスリットを通過して中に入れられた。この状態で透明樹脂筒を回転させると鍵に相当するものも一緒に回転した。これにより、目的とする動きができる事を確認した。
【０２４３】
侵入する事を想定して、針金を用いて動かし方の確認を行った。可動部分のスリットから入れた針金は扉面相当品の面の中央には達するが、スリットを通す事は容易ではない。中心には入れられるが円周部分には到達し難い。スリットを通った場合、2つのスリットが構成する面から外れた位置に動かす事は難しい。これにより、目的とする動きがやり難い事を確認した。仮にピッキング操作ができたとしても時間がかかる事が想定される。